(57)【要約】【目的】多量の映像を効率よく短時間で視聴できるようにする。【解決手段】映像再生装置１は、映像の任意の区間を通常再生及び早送り再生のいずれかの再生モードで再生可能な映像デコード部１３５と、映像デコード部１３５により再生される映像のハイライト情報を取得するハイライト情報取得部１００，１０１と、映像デコード部１３５を制御して、映像のうち、ハイライト領域は通常再生で再生し、それ以外の領域は早送り再生で再生させる再生制御部１３４とを含む。【選択図】      図１
2005236527.tif 000002
【特許請求の範囲】
【請求項１】
映像の任意の区間を第１及び第２のいずれかの再生モードで再生可能な映像再生部と、
前記映像再生部により再生される映像中のハイライト領域を定めるためのハイライト情報を取得するためのハイライト情報取得部と、
前記映像再生部を制御して、前記映像のうち、前記ハイライト領域は前記第１の再生モードで再生し、それ以外の領域は前記第２の再生モードで再生させるための再生制御手段とを含む、映像再生装置。
【請求項２】
前記映像再生部は、前記第２の再生モードでは前記第１の再生モードより早い速度で映像を再生する、請求項１に記載の映像再生装置。
【請求項３】
前記映像再生部は、前記第２の再生モードでは、前記第１の再生モードより早く、かつ前記ハイライト領域と再生位置との間の距離に応じて早くなる速度で映像を再生する、請求項２に記載の映像再生装置。
【請求項４】
映像の任意の区間を第１及び第２のいずれかの再生モードで再生可能な映像再生部と、
前記映像再生部を制御して、映像中のハイライト位置を指定するハイライト情報で指定された映像部分は前記第１の再生モードで、それ以外の映像部分は前記第２の再生モードで、それぞれ再生するための再生制御手段とを含み、
前記再生制御手段は、前記ハイライト位置と再生位置との間の距離により定まる速度で前記ハイライト情報により指定されていない映像部分を再生する、映像再生装置。
【請求項５】
少なくとも早送り再生及び通常再生の二つの再生モードで再生が可能な映像再生部と、
映像のハイライト領域を定めるためのハイライト情報を記憶するためのハイライト情報記憶手段と、
前記映像再生部を制御して、前記映像のうち、前記ハイライト領域は前記早送り再生モードで再生し、それ以外の領域は前記通常再生モードで再生させるための再生制御手段と、
利用者から早送り指示を受取るための指示入力手段と、
前記早送り指示を受けたことに応答して、前記映像再生部を制御して早送り再生を開始させるための早送り手段とを含み、
前記再生制御手段は、前記映像再生部による映像の早送り再生が、前記ハイライト情報記憶手段に記憶されたハイライト情報により指定されたハイライト領域に到達すると、前記通常再生モードで再生するように前記映像再生部を制御する、映像再生装置。
【請求項６】
前記映像再生手段は、前記映像再生部による早送り再生の間、ハイライト情報により定まるハイライト領域、又は前記早送り指示を受けた映像位置の少なくとも一方と再生位置との間の距離に応じた早送り速度で早送り再生を行なうように前記映像再生部を制御するための手段を含む、請求項５に記載の映像再生装置。
【請求項７】
前記映像再生装置は、前記ハイライト情報を取得するためのハイライト情報取得部をさらに含む、請求項４〜請求項６のいずれかに記載の映像再生装置。
【請求項８】
前記再生制御手段は、映像のうち、ハイライト情報を取得できない部分については前記通常再生モードでの再生速度よりも早く、かつ音声が聞き取れる速度で再生するよう前記映像再生部を制御する、請求項１〜請求項７のいずれかに記載の映像再生装置。
【請求項９】
映像蓄積部をさらに備え、
前記映像再生部は映像蓄積部に蓄積された映像を再生するための手段を含む、請求項１〜請求項８のいずれかに記載の映像再生装置。
【請求項１０】
前記映像蓄積部は、映像の蓄積と並行して前記映像再生部に対して映像データを供給することが可能である、請求項９に記載の映像再生装置。
【請求項１１】
利用者の指示に応答して映像データを外部より取得するための映像取得手段をさらに含み、
前記映像再生部は前記映像取得部が取得した映像を再生する、請求項１〜請求項８のいずれかに記載の映像再生装置。
【請求項１２】
映像の特徴を解析してハイライト情報を生成するためのハイライト情報生成手段をさらに含む、請求項１〜請求項１１のいずれかに記載の映像再生装置。
【請求項１３】
再生スクリプトにしたがった再生モード及び再生シーケンスで映像を再生するスクリプト実行手段を有する映像再生装置に対して、映像の再生制御を指示するための再生スクリプトを生成する再生スクリプト生成装置であって、
映像のハイライト領域を定めるためのハイライト情報を準備するためのハイライト情報準備手段と、
前記ハイライト情報準備手段により準備されたハイライト情報により指定された映像部分は通常速度で再生し、ハイライト情報に指定されていない映像部分は早送りで再生するよう前記映像再生装置の前記スクリプト実行手段に対し指示する再生スクリプトを生成するための再生スクリプト生成手段を含む、再生スクリプト生成装置。
【請求項１４】
前記スクリプト生成手段は、再生すべき映像と、再生範囲と、再生速度とを含む再生スクリプトを生成する、再生スクリプト生成装置。
【請求項１５】
映像データを準備するための手段と、
前記映像データに関連して、前記映像データの映像のうちのハイライト領域を定めるハイライト情報を準備するための手段と、
前記ハイライト情報にしたがって、前記ハイライト情報で指定された映像部分と、当該ハイライト情報で指定された映像部分の前の所定時間又は後ろの所定時間又はその双方とを含む映像部分を切出すための映像切出し手段とを含む、映像切出し装置。
【請求項１６】
映像を蓄積するための映像蓄積手段と、
前記映像蓄積部が映像を蓄積する際の映像蓄積時刻を記録するための映像蓄積時刻記録手段と、
前記映像蓄積時刻蓄積部に映像が蓄積された時刻の精度を、前記映像蓄積手段による映像の蓄積の際の環境に基づいて決定するための蓄積時刻精度決定手段と、
前記蓄積時刻精度決定部が決定した蓄積時刻精度を記録するための第１の精度記録手段とを含む、映像蓄積装置。
【請求項１７】
前記時刻精度決定手段は、前記映像が前記映像蓄積手段に蓄積された際に用いられた、映像の伝送経路に基づいて前記蓄積時刻精度を決定する、請求項１６に記載の映像蓄積装置。
【請求項１８】
前記映像蓄積装置は、
前記映像蓄積手段に蓄積される映像中の所定時刻を指定する時刻指定情報を記録するための時刻指定情報記録手段と、
前記時刻指定情報の精度を記録するための第２の精度記録手段と、
前記時刻指定情報の推定補正値を記録するための第１の推定補正値記録手段と、
前記映像蓄積時時刻記録手段が記録した映像蓄積時刻の推定補正値を記録するための第２の推定補正値記録手段と、
前記映像蓄積時刻と前記時刻指定情報との間の相対補正値を算出し記録するための相対補正値記録手段と、
前記時刻指定情報の精度、前記映像蓄積時刻の精度、及び前記相対補正値に基づいて、前記時刻指定情報の推定補正値、前記映像蓄積時刻の推定補正値、及び未確定の相対補正値を推定するための補正値推定手段とをさらに含む、請求項１７に記載の映像蓄積装置。
【発明の詳細な説明】
【技術分野】
【０００１】
本発明は、短時間で映像を視聴するための映像再生装置に関し、特に、ハイライトシーンとそれ以外のシーンとで再生速度を変更する映像再生装置、ならびに当該映像再生装置とともに使用される再生スクリプト生成装置、映像切出し装置、及び映像蓄積装置に関する。
【背景技術】
【０００２】
近年、ハードディスクドライブ（以下ＨＤＤ）やＤＶＤ（Ｄｉｇｉｔａｌ  Ｖｅｒｓａｔｉｌｅ  Ｄｉｓｋ）を記録媒体にして、放送信号などからの映像及び音声を記録するデジタルレコーダが広く普及している。中でもＨＤＤを記録媒体にしたデジタルレコーダはＨＤＤの飛躍的な大容量化と高圧縮率の動画圧縮技術の発達により数百時間におよぶ記録時間を実現している。一方で、地上波放送のデジタル化やＣＳ（Ｃｏｍｍｕｎｉｃａｔｉｏｎ  Ｓａｔｅｌｌｉｔｅ）放送、ケーブルテレビ等の発達により、放送チャンネル数も増加している。このような録画可能時間の長時間化及びチャンネル数の増加に伴い、個人でも多数のチャンネルの番組を長時間にわたり録画することが容易になってきた。
【０００３】
ところが、記録が容易になるにつれて記録された番組量が多くなり、それを視聴するための時間が不足してしまうという問題が生じた。番組を録画するのは、当該番組の内容を見たいためである。したがって、時間さえあれば、録画した番組は全て見たいと考える人が多いだろう。ところが、人間が自由にできる時間には限りがある。そのため、記録した映像を効率よく視聴する方法が求められている。
【０００４】
特許文献１には、ハイライトシーンのみを選択的に通常速度で再生し、それ以外の部分を早送りするＶＴＲ（Ｖｉｄｅｏ  Ｔａｐｅ  Ｒｅｃｏｒｄｅｒ）を基本とした記録再生装置が開示されている。例えば一つの方法として、録画時に特別なイベントが発生したことを検出して録画とともに記録する。再生時には、イベントの発生が記録されている区間（以下「ハイライトシーン」と呼ぶ。）については通常速度で、それ以外の部分は早送りで、それぞれ再生する。又は、早送り再生中に画像中からハイライトシーンを検出し、そこから巻き戻して所定時間だけ再生する。
【０００５】
このように構成することにより、ハイライトシーンについては通常の速度で見ることができ、それ以外の部分については早送りで、一応その内容について確認しながら比較的短時間に見ることができる。
【０００６】
【特許文献１】特開平１１−５５６１３号公報
【発明の開示】
【発明が解決しようとする課題】
【０００７】
特許文献１に開示されている記録再生装置では、ハイライトシーンとハイライトシーンとの間の区間を早送りする。その早送りの速度が高速であると、その映像の内容について把握するのが困難である。そのため、ハイライトシーンとして記録されていない部分で重要なシーンを見逃すおそれがある。これに対し早送りの速度が低速であれば、内容は比較的容易に把握できる。しかし結果的に映像を見るのに時間がかかり、できるだけ多くの映像を短時間に見るという目的が達成できない。
【０００８】
また、特許文献１に記載の技術では、ハイライトシーンはあくまでテープに記録された映像信号又は音声信号に従属したものであり、映像信号などから独立して取り扱うことは想定されていない。一方、現代のように電気通信技術が発達すると、例えば、ハイライトシーンの情報を別途ネットワーク経由で配信する、又は生放送の中継後に、別の番組を放送中にその生放送された番組のハイライトシーンの情報を放送するといったような、情報配信が行なわれるようになる。特許文献１に記載の技術ではそのようにハイライトシーンの情報を映像と別個のものとして取り扱う技術には対応できない。
【０００９】
特に、そのように映像とハイライトシーンを示す情報とを別個に取り扱うと、ハイライトシーンについての時刻情報と映像の時刻との誤差により、正しいハイライトシーンを再生できないという問題が生じる可能性がある。しかし特許文献１に記載のものは、あくまで映像とハイライトシーンを表わす情報とが同じ記録媒体に記録されていることが前提となっているので、特許文献１にはそうした問題についての認識を見出すことができない。
【００１０】
それゆえに本発明の目的は、多量の映像を効率よく短時間で視聴できるようにする映像再生装置を提供することである。
【００１１】
本発明の別の目的は、多量の映像を、映像とは独立した情報を使用して効率よく短時間で視聴できるようにする映像再生装置を提供することである。
【００１２】
本発明のさらに別の目的は、多量の映像の主要な部分を、その前後の部分の内容を把握しながら効率よく短時間で視聴できるようにする映像再生装置を提供することである。
【課題を解決するための手段】
【００１３】
本発明の第１の局面に係る映像再生装置は、映像の任意の区間を第１及び第２のいずれかの再生モードで再生可能な映像再生部と、映像再生部により再生される映像中のハイライト領域を定めるためのハイライト情報を取得するためのハイライト情報取得部と、映像再生部を制御して、映像のうち、ハイライト領域は第１の再生モードで再生し、それ以外の領域は第２の再生モードで再生させるための再生制御手段とを含む。
【００１４】
映像とは別に取得したハイライト情報に基づいて、映像を効率的に視聴できる。
【００１５】
好ましくは、映像再生部は、第２の再生モードでは第１の再生モードより早い速度で映像を再生する。
【００１６】
第２の再生モードでは第１の再生モードよりも早い速度で再生されるので、視聴時間を短縮できる。
【００１７】
さらに好ましくは、映像再生部は、第２の再生モードでは、第１の再生モードより早く、かつハイライト領域と再生位置との間の距離に応じて早くなる速度で映像を再生する。
【００１８】
第２の再生モードでは第１の再生モードよりも早い速度で再生されるので、視聴時間を短縮できるとともに、ハイライト領域の前後では遅い速度で早送り再生がされるので、前後の様子が良くわかる。
【００１９】
本発明の第２の局面に係る映像再生装置は、映像の任意の区間を第１及び第２のいずれかの再生モードで再生可能な映像再生部と、映像再生部を制御して、映像中のハイライト位置を指定するハイライト情報で指定された映像部分は第１の再生モードで、それ以外の映像部分は第２の再生モードで、それぞれ再生するための再生制御手段とを含み、再生制御手段は、ハイライト位置と再生位置との間の距離により定まる速度で前記ハイライト情報により指定されていない映像部分を再生する。
【００２０】
第２の再生モードでは、ハイライト領域の前後では遅い速度で早送り再生がされ、ハイライト領域から遠いと早い速度で早送り再生がされるので、ハイライト領域の前後の様子が良くわかるとともに、視聴時間をより短くできる。
【００２１】
本発明の第３の局面に係る映像再生装置は、少なくとも早送り再生及び通常再生の二つの再生モードで再生が可能な映像再生部と、映像のハイライト領域を定めるためのハイライト情報を記憶するためのハイライト情報記憶手段と、映像再生部を制御して、映像のうち、ハイライト領域は早送り再生モードで再生し、それ以外の領域は通常再生モードで再生させるための再生制御手段と、利用者から早送り指示を受取るための指示入力手段と、早送り指示を受けたことに応答して、映像再生部を制御して早送り再生を開始させるための早送り手段とを含み、再生制御手段は、映像再生部による映像の早送り再生が、ハイライト情報記憶手段に記憶されたハイライト情報により指定されたハイライト領域に到達すると、通常再生モードで再生するように映像再生部を制御する。
【００２２】
早送りを指示したのち、ハイライト領域に到達すると自動的に通常再生モードとなるので、簡便な操作で確実に映像のハイライト領域を視聴することができる。
【００２３】
好ましくは、映像再生手段は、映像再生部による早送り再生の間、ハイライト情報により定まるハイライト領域、又は前記早送り指示を受けた映像位置の少なくとも一方と再生位置との間の距離に応じた早送り速度で早送り再生を行なうように映像再生部を制御するための手段を含む。
【００２４】
早送り再生の間、ハイライト領域の前後、又は利用者が早送り指示を出した位置の近くではハイライト領域や早送り指示が出された位置から遠い部分よりも遅い速度で早送り再生がされるので、ハイライト領域の前後の様子が良くわかる。
【００２５】
さらに好ましくは、映像再生装置は、ハイライト情報を取得するためのハイライト情報取得部をさらに含む。
【００２６】
ハイライト情報を映像と別個に取得して、映像を効率的に視聴することが可能になる。
【００２７】
再生制御手段は、映像のうち、ハイライト情報を取得できない部分については通常再生モードでの再生速度よりも早く、かつ音声が聞き取れる速度で再生するよう映像再生部を制御するようにしてもよい。
【００２８】
ハイライト情報が提供されていない部分についても、内容を把握しながら効率的に視聴することが可能になる。
【００２９】
好ましくは、映像再生装置は映像蓄積部をさらに備え、映像再生部は映像蓄積部に蓄積された映像を再生するための手段を含む。
【００３０】
蓄積された映像について、上記したように効率的に視聴することができる
さらに好ましくは、映像蓄積部は、映像の蓄積と並行して映像再生部に対して映像データを供給することが可能である。
【００３１】
録画しながら再生を行ない、かつ再生部分について効率的に視聴することができる。
【００３２】
映像再生装置は、利用者の指示に応答して映像データを外部より取得するための映像取得手段をさらに含み、映像再生部は映像取得部が取得した映像を再生してもよい。
【００３３】
利用者からの指示があると映像データを外部から取得することで、いわゆるオンデマンドで映像を視聴することができ、かつその視聴を効率的に行なうことができる。
【００３４】
好ましくは、映像再生装置は、映像の特徴を解析してハイライト情報を生成するためのハイライト情報生成手段をさらに含む。
【００３５】
ハイライト情報が利用できないときにも、映像の特徴を解析することでハイライト情報を自動生成することができる。したがって、そのような映像についても効率的に視聴できる。
【００３６】
本発明の第４の局面に係る再生スクリプト生成装置は、再生スクリプトにしたがった再生モード及び再生シーケンスで映像を再生するスクリプト実行手段を有する映像再生装置に対して、映像の再生制御を指示するための再生スクリプトを生成する再生スクリプト生成装置であって、映像のハイライト領域を定めるためのハイライト情報を準備するためのハイライト情報準備手段と、ハイライト情報準備手段により準備されたハイライト情報により指定された映像部分は通常速度で再生し、ハイライト情報に指定されていない映像部分は早送りで再生するよう映像再生装置のスクリプト実行手段に対し指示する再生スクリプトを生成するための再生スクリプト生成手段を含む。
【００３７】
この再生スクリプト生成装置によれば、映像のハイライト情報により指定された映像部分は通常速度で、それ以外の映像部分は早送りで再生するようなスクリプトを自動生成できる。この再生スクリプトを実行する機能を持つ映像再生装置でこの再生スクリプトを実行することにより、ユーザはハイライト情報に基づく視聴と同様に、効率的に映像を視聴することができる。
【００３８】
好ましくは、スクリプト生成手段は、再生すべき映像と、再生範囲と、再生速度とを含む再生スクリプトを生成する。
【００３９】
再生スクリプトによりこれら情報を指定することで、映像再生装置では映像を指定されたとおり再生することが容易に行なえる。
【００４０】
本発明の第５の局面に係る映像切出し装置は、映像データを準備するための手段と、映像データに関連して、映像データの映像のうちのハイライト領域を定めるハイライト情報を準備するための手段と、ハイライト情報にしたがって、ハイライト情報で指定された映像部分と、当該ハイライト情報で指定された映像部分の前の所定時間又は後ろの所定時間又はその双方とを含む映像部分を切出すための映像切出し手段とを含む。
【００４１】
この映像切出し装置は、ハイライト情報を元に映像を切出す。そのため、切出された映像の容量を小さくでき、かつ重要な部分が欠落するおそれは小さい。またハイライト情報の前後のシーンも含めて切出すので、利用者はより確実に自分が興味を持つ映像を視聴することができる。
【００４２】
本発明の第６の局面に係る映像蓄積装置は、映像を蓄積するための映像蓄積手段と、映像蓄積部が映像を蓄積する際の映像蓄積時刻を記録するための映像蓄積時刻記録手段と、映像蓄積時刻蓄積部に映像が蓄積された時刻の精度を、映像蓄積手段による映像の蓄積の際の環境に基づいて決定するための蓄積時刻精度決定手段と、蓄積時刻精度決定部が決定した時刻精度を記録するための第１の精度記録手段とを含む。
【００４３】
映像を蓄積時刻を記録して蓄積した場合、その蓄積時刻精度が問題となる。本映像蓄積装置によれば、映像蓄積の際の環境に基づいて記録時間の精度が決定され、記録される。その結果、記録時間を管理することができる録画装置が実現できる。
【００４４】
好ましくは、時刻精度決定手段は、映像が映像蓄積手段に蓄積された際に用いられた、映像の伝送経路に基づいて蓄積時刻精度を決定する。
【００４５】
時刻精度が、映像蓄積の際の伝送経路、例えば放送波のチャンネル又は形式に応じて時刻精度を決定する。そのため、映像蓄積時刻の精度を、ある程度の信頼性で管理できる。
【００４６】
さらに好ましくは、映像蓄積装置は、映像蓄積手段に蓄積される映像中の所定時刻を指定する時刻指定情報を記録するための時刻指定情報記録手段と、時刻指定情報の精度を記録するための第２の精度記録手段と、時刻指定情報の推定補正値を記録するための第１の推定補正値記録手段と、映像蓄積時時刻記録手段が記録した映像蓄積時刻の推定補正値を記録するための第２の推定補正値記録手段と、映像蓄積時刻と時刻指定情報との間の相対補正値を算出し記録するための相対補正値記録手段と、時刻指定情報の精度、映像蓄積時刻の精度、及び相対補正値に基づいて、時刻指定情報の推定補正値、映像蓄積時刻の推定補正値、及び未確定の相対補正値を推定するための補正値推定手段とをさらに含む。
【００４７】
蓄積された映像をハイライト情報のように映像中の所定時刻を指定する時刻指定情報を含むものに基づいて再生する場合、映像蓄積時間の精度と時刻指定情報の精度とが問題となる。この映像蓄積装置によれば、それら時刻の精度に基づいてそれら時刻の推定補正値が算出され、さらにそれらの間の相対補正値を推定する。効率的に時刻を補正して、指定時刻情報に基づいて正しく映像を再生することができる。
【発明の効果】
【００４８】
以上のように本発明によれば、ハイライト情報を用い、多量の映像を効率よく、重要部分を逃すおそれを小さくしながら短時間で視聴できるようになる。ハイライト情報で指定されていない部分については、早送りで送り、さらにハイライト区間の近くでは早送りの速度を比較的小さくすることで、ハイライト区間の前後の内容についても容易に確認でき、必要に応じて通常再生とすることができる。また、通常再生の途中で利用者が早送りにした場合、ハイライト区間に到達すると自動的に通常再生となる。そのため、利用者は効率的に、簡易な操作で重要部分を確認できる。
【００４９】
さらに、ハイライト情報を用いた場合と同等の処理を実現するための再生スクリプトを自動的に生成し、映像再生装置で実行可能とすることで、集中的に、再生の高度な制御を行なうことが容易になる。また、時刻精度を容易に補正できるので、ハイライト情報のように時刻指定情報を含む情報にしたがって映像の再生を制御する際にも、指定された正しい時刻を基準とした再生・早送りなどの制御を行なうことが可能になる。
【発明を実施するための最良の形態】
【００５０】
［第１の実施の形態］
−構成−
図１は本発明の第１の実施の形態に係る映像再生装置を示すブロック図である。この映像再生装置１は、アンテナ２、表示装置３、及び図示しないネットワークに接続されている。
【００５１】
映像再生装置１は、アンテナ２で受信された放送電波を選局するための受信部１００と、受信部１００により選局された信号から、映像データ、付加情報、及びハイライト情報などを分離するための付加情報分離部１０１とを含む。付加情報とは、番組の映像データと共に放送波に多重されている、当該番組情報の放送出演者等、番組に関する情報、天気情報などの公共的情報、放送全般に関係する番組表情報など等のことをいう。ハイライト情報は、これら付加情報の一種と見ることもできるが、本実施の形態ではハイライト情報は特別な意味を持つため、ここでは付加情報と区別して記載する。
【００５２】
映像再生装置１はさらに、映像データを圧縮エンコードするための映像エンコード部１０２と、分離された付加情報、ハイライト情報、及び圧縮エンコードされた映像データをそれぞれ記録する付加情報記録領域１１１、ハイライトシーン記録領域１１２、及び映像記録領域１１３を有する記録部１１０と、放送電波にハイライト情報が含まれていない場合に、映像データからハイライトシーンを検出し、その情報を記録部１１０のハイライトシーン記録領域１１２に記録させるためのハイライトシーン検出部１０３と、ハイライト情報を付加情報分離部１０１から取得するか、ハイライトシーン検出部１０３から取得するかを切り替えるためのスイッチ１０４とを含む。
【００５３】
以上述べた構成により放送電波中の映像データ、付加情報、放送電波から分離された、又はハイライトシーン検出部１０３により検出されたハイライト情報が記録部１１０に記録される。
【００５４】
映像再生装置１はさらに、映像記録領域１１３に記録された映像データを再生する映像デコード部１３５と、イライトシーン記録領域１１２に記録されたハイライト情報に基づき、映像デコード部１３５を制御して映像の再生を行なわせるための再生制御部１３４と、付加情報記録領域１１１に記録された付加情報及び再生制御部１３４から出力されるハイライト情報に埋め込まれた説明情報などを映像デコード部１３５により出力される映像に重ね合わせて表示装置３に与えるための情報重ね合わせ部１３６とを含む。情報重ね合わせ部１３６の出力は映像再生装置１の出力として表示装置３によって表示される。
【００５５】
映像デコード部１３５は、映像を通常再生モードと早送り再生モードとの二つの再生モードで再生可能である。映像デコード部１３５はさらに、早送り再生モードでも再生速度を複数段階に制御することが可能である。
【００５６】
付加情報やハイライト情報はネットワークから取得することもできる。そのために映像再生装置１はネットワークインタフェース部１３０と、ネットワークインタフェース部１３０及び付加情報記憶領域１１１のいずれかの出力を選択して情報重ね合わせ部１３６に与えるためのスイッチ１３１と、ネットワークインタフェース部１３０及びハイライトシーン記憶領域１１２のいずれかの出力を選択して再生制御部１３４に与えるためのスイッチ１３２とを含む。映像再生装置１はさらに、映像記録ディスクに記録された映像を再生するための映像記録ディスク再生部１１４と、映像記録ディスク再生部１１４からの映像データと映像記録領域１１３の出力する映像データとのいずれかを選択して映像デコード部１３５に与えるためのスイッチ１３３とを含む。
【００５７】
以上の構成によって、記録部１１０に記録された映像データ、付加情報、ハイライト情報が利用され、再生される。
【００５８】
ハイライトシーン検出部１０３の実現方法としては、特許文献１に示されたものと同様に、音声の大きさ、又は映し出される物体の特徴を利用する方法、画面中に現れるキャプションの表示タイミングを利用する方法などを用いることができる。特にスポーツ中継などの場合には、ある程度の期間にわたって競技場の特徴などを学習した後に、選手の動きを検出してハイライトシーンを検出するような方法も提案されている。ハイライトシーン検出部１０３が映像記録領域１１３に記録された映像にアクセスできるようにすれば、このようなマルチパスのハイライトシーン検出処理も利用できる。番組中に含まれるコマーシャルメッセージ（以下「ＣＭ」と呼ぶ。）と番組本編の映像モードが異なる場合、ＣＭ部分を非ハイライトシーン、それ以外の部分をハイライトシーンと認識するようにしても良い。映像モードは音声のチャネル数、音声の言語、映像のビットレート、映像のコピープロテクション設定、著作権者などの情報に基づいて判断することができる。
【００５９】
アンテナ２で受信された放送電波は受信部１００で選局され、付加情報分離部１０１に入力される。付加情報分離部１０１では、映像データ、付加情報、ハイライト情報が分離される。分離された付加情報は必要に応じて記録部１１０の付加情報記録領域１１１に記録される。ハイライト情報も記録部１１０のハイライトシーン記録領域１１２に記録される。映像データは映像エンコード部１０２によって圧縮エンコードされ記録部１１０の映像記録領域１１３に記録される。
【００６０】
放送電波にハイライト情報が含まれていればスイッチ１０４は付加情報分離部１０１の出力するハイライト情報を選択しハイライトシーン記録領域１１２に記録する。放送電波にハイライト情報が含まれていない場合には、ハイライトシーン検出部１０３が映像データからハイライトシーンを検出し、スイッチ１０４がその情報を選択してハイライトシーン記録領域１１２に記録する。以上の動作により放送電波中の映像データ、付加情報、放送電波中から分離されたハイライト情報、又はハイライトシーン検出部１０３で検出されたハイライト情報が記録部１１０に記録される。
【００６１】
再生制御部１３４はハイライトシーン記録領域１１２に記録されたハイライト情報に基づき、映像デコード部１３５を用いて映像記録領域１１３に記録された映像データを再生する。再生制御部１３４はさらに、付加情報記録領域１１１に記録された付加情報又はハイライト情報に埋め込まれた説明情報などを情報重ね合わせ部１３６によって重ね合わせて出力する。情報重ね合わせ部１３６の出力は映像再生装置１の出力として表示装置３によって表示される。付加情報やハイライト情報はネットワークインタフェース１３０を介してネットワークから取得することもできる。映像記録ディスク再生部１１４からの映像データを再生することもできる。
【００６２】
以上の動作によって、記録部１１０に記録された映像データ、付加情報、ハイライト情報が利用され、再生される。
【００６３】
−再生制御部１３４の制御の詳細−
次に、再生制御部１３４による制御の詳細について説明する。本実施の形態に係る再生制御部１３４は、ハイライトシーンはゆっくりと、そうでない部分は早送りによって短縮して再生するように制御して、全体の視聴に要する時間を短縮する。ハイライト情報としては大きく２種類が考えられる。
【００６４】
第１の種類のハイライト情報は、シーンの開始点と終了点が指定されている区間としてのハイライト情報（以下、「区間情報」と呼ぶ。）である。第２の種類のハイライト情報は、シーンの開始点のみが指定されている点としてのハイライト情報（以下、「点情報」と呼ぶ。）である。
【００６５】
図２は本実施の形態に係る映像再生装置１の動作の概略を示す図である。映像１８０のうち、斜線により示される区間１８４，１８８，及び１９２が区間情報によりハイライトシーンとして指定された区間、他の区間１８２，１８６，１９０及び１９４はハイライトシーン以外の区間である。録画開始点の区間１８２はハイライトシーンに指定されていない。そのため、再生を開始すると直ちに早送り再生が開始される。区間１８４に到達すると、通常再生となる。区間１８４の終了点を越え、区間１８６に入ると再び早送り再生に戻る。区間１８８に到達すると通常再生に戻る。その後も同様である。この動作自体は前述の特許文献１で開示されている動作と同様であるが、本実施の形態に係る映像再生装置１は、特許文献１に開示のものより複雑な状況に対応できる。以下その処理手順について詳細に説明する。
【００６６】
まず、図３を用いて語を定義する。区間情報の始まりとなる時刻を開始点、終わりとなる時刻を終了点といい、区間情報でハイライトシーンとして指定されている区間をハイライト区間という。ハイライト区間以外の区間をギャップという。また、点情報として与えられた時刻をハイライト点という。
【００６７】
図４は本再生装置の再生時の処理を実現するためのプログラムのフローチャートである。図４を参照して、ステップ（以下「Ｓ」と略記する。）１００ではハイライト情報の正規化処理を行なう。ハイライト情報の正規化処理とは、点情報として与えられたハイライト情報を区間情報に変換する処理のことをいう。この処理の詳細については後述する。Ｓ１０１で正規化されたハイライト情報に基づいて早見再生を行なう。Ｓ１０２で、早見再生されなかった部分を追いつき再生する。
【００６８】
図５はＳ１００のハイライト情報正規化処理の詳細を示したフローチャートである。Ｓ１１０において、点情報を区間情報に変換する。この実施の形態では、定数として与えられた時間α、βを使い、ハイライト点−αを開始点、ハイライト点＋βを終了点にする。もちろん、これ以外の処理も考えられる。ここでは、αとして２０秒、ベータとして１分という固定した時間を与える。これに代えて、区間情報として与えられたハイライト区間の平均値γを求め、α＝０．２γ、β＝０．８γとするような方法も考えられる。開始点又は終了点が録画された範囲を超えた場合は、それぞれ録画開始点、録画終了点で置換える。
【００６９】
Ｓ１１１においては、もとのハイライト情報から得られた区間情報及びＳ１１０で得られた区間情報をその開始点の値でソートして、順序付けられたハイライト区間のリストを得る。Ｓ１１２ではハイライト区間の重複の削除を行なう。すなわちハイライト区間のリストに複数回現れる映像部分を１つにまとめる。
【００７０】
また、あまりにも短いギャップは視聴時に違和感を与える。そうしたギャップがある場合、そのギャップをはさむ二つのハイライト区間をＳ１１３においてひとつに統合する。本実施の形態では、２０秒より短いギャップについては削除する。もちろん、この時間の値としてこれ以外の様々な値を採用できるし、全体時間に対する比率などにより計算することもできる。実施の形態によっては、Ｓ１１１からＳ１１３の処理を行なわないことも考えられる。
図６はＳ１０１の早見再生処理を実現するためのプログラムの詳細を示したフローチャートである。Ｓ１２０において、再生ポインタを録画開始点にセットして再生を開始する。この再生ポインタは再生が進むに従って自動的に更新される。Ｓ１２１ｓとＳ１２１ｅで囲まれたＳ１２２、Ｓ１２３、Ｓ１２４の処理は、Ｓ１００で得られたハイライト区間リスト中の最後のハイライト区間の終了点に再生ポインタが到達するまで繰返される。
【００７１】
Ｓ１２２において再生ポインタとハイライト区間リストとが比較され、再生ポインタがハイライト区間内にあるか否かが判定される。再生ポインタがハイライト区間内にあれば、Ｓ１２３で再生状態は通常速度に設定される。再生ポインタがハイライト区間の外にあれば再生状態は早送りに設定される。
【００７２】
以上の処理により、すべてのハイライト区間についての再生が終わると、図４のＳ１０２に処理が移り、再生状態は早送りに設定される。
【００７３】
図７は以上の処理によって実現される再生状態の遷移の一例を示す。図７において、斜線部分はハイライト区間を示している。本実施の形態においては、図６のＳ１２４で実現されるギャップにおける早送り再生は、図７に示すように徐々に加速するような早送りである。こうした加速が実現困難であれば、ギャップの長さに従って、短ければ比較的遅い早送り、長ければ高速な早送りというように早送り速度を決めることも考えられる。Ｓ１０２の追いつき再生も同様である。
【００７４】
Ｓ１００のハイライト情報正規化処理において、ユーザの好みに合わせて区間情報の開始点や終了点を前方、又は後方に移動してからＳ１１０以降の処理をはじめても良い。例えば、開始点を前方に１０秒、終了点を後方に３０秒移動することにより、ゆっくりと視聴したいというユーザの要求に答えることができる。反対に、開始点を後方に５秒、終了点を前方に２０秒移動することにより、できるだけ短時間に視聴したいというユーザの要求に答えることができる。
【００７５】
図８は、早送り延期と早送り保留という２種類のユーザからの指示をうける機構と、ハイライト情報がすでに作られている区間を指定する情報が得られる場合についての本映像再生装置１の動作を示す図である。図８を参照して、映像２２０のうち、ハイライト情報あり区間２２２をハイライト再生する場合を考える。図８に示す例では、ハイライト情報あり区間２２２は、ギャップ２２４、２２８、２３８及び２４２と、ハイライト区間２２６，２３４及び２４０とを含む。
【００７６】
例えばギャップ２２８中でユーザから早送り延期指示が与えられると、その時点から一定期間（例えば３０秒）は通常再生に戻って再生する（図の格子部分２３０）。また、ハイライト区間でユーザから早送り延期指示が与えられると、その時点から一定期間（例えば３０秒）は、再生ポインタが終了点に到達したとしても早送り再生に移らない。
【００７７】
また、例えばギャップ２３６中でユーザから早送り保留指示が与えられると、その時点から次の開始点までは通常再生に戻って再生する（図の区間２３８）。また、ハイライト区間でユーザから早送り保留指示が与えられるとそのハイライト区間の終了点を無視し、次の開始点までは通常再生を継続する。
【００７８】
また、例えば生放送を録画しながらその録画を早見再生する場合には、すべての録画済部分についてハイライト情報が与えられているとは限らない。そのため、図７のように追いつき再生部分全体をギャップの再生と同じ様に早送り再生すると、ハイライトシーンのとして条件を満足するがハイライト情報が提供されていないシーンを見逃してしまうことになる。どこまでの区間についてハイライト情報が作られているかについての情報が得られるならば、その区間を抜けた時点で通常再生に戻るか、又は図８の区間２４４により示されるように比較的遅い早送り再生に移行することが考えられる。この比較的遅い早送り再生は音声付であることが望ましい。このような再生方法は、タイムシフト視聴と呼ばれる視聴形態をさらに発展させた視聴形態であり、本明細書ではタイムシフト追いつき再生と呼ぶ。このような方法は、前述の、競技場の特徴を学習した後、その学習結果を用いてハイライト情報を作るようなハイライト情報生成技術との組み合わせにおいて特に有効である。
【００７９】
これら早送り延期指示や早送り保留指示は、前述の徐々に加速する早送りと組合せて使用することが特に有効である。なぜなら、ユーザは、音声の聞取りや内容把握は可能であるが通常再生よりも早い再生に切替わったことで、再生ポインタがハイライト区間を出たことを知ることができるからである。その時点でユーザが指示を与えれば、ユーザは内容を途切れることなく把握できる。このような加速する早送りが使えない場合は、例えば、終了点の手前１０秒の範囲に再生ポインタが到達すると、表示画面、音声、再生装置筐体の表示部、又はリモコン装置に設けられた振動部などでユーザにインディケーションを与えても良い。ユーザはこのインディケーションを受けることにより、早送りが始まる前に指示を与えることができる。表示装置の画面上のインディケーションとして、次にハイライト区間の内容を示すサムネイル表示を用いることができればなお良い。これ以外にも、早送り中に早送り延期指示や早送り保留指示が与えられた場合は、直前のハイライト区間の終了点に戻って通常再生するというような動作も考えられる。視聴の流れが中断される可能性はあるが、終了点で一旦停止しユーザに早送り延期、早送り保留を選択させる表示を行なうことも考えられる。
【００８０】
早送り保留では、次のハイライト区間が終わると再び加速が始まることになる。しかしこれに代えて、早送り禁止という指示で完全に通常再生だけの状態に移行することも考えられる。早送り延期中や早送り保留中、さらには通常再生中に強制的に早送りを開始させる早送り指示、ギャップ・ハイライト区間を問わず全体の再生速度をもともとの制御による再生速度のＮ倍（例えば、１．５倍、２倍等）にする全体加速指示があっても良い。
【００８１】
一般的には、早送り延期指示及び早送り保留指示は赤外線又は電波を使ったリモコンで行なうことが考えられる。もちろんこれに限定されるものではなく、音やユーザの動きを検出するセンサによって指示を与えても良い。さらにはインターネット接続を経由した指示、例えばインターネット接続機能を持った携帯電話から指示を与えることも考えられる。音やユーザの動きを検出するセンサを用いる場合は、誤動作を防ぐため、例えば終了点の前後５秒に限って指示を受け付ける等の対策を採ることが望ましい。再生ポインタがハイライト区間を抜け、早送り再生が始まった時点で一度手をたたくと、それを音センサで検出して早送り延期指示とみなし、さらに繰返して手をたたくと早送り保留、早送り禁止とみなすようなことが考えられる。延期中、保留中、及び禁止中に手をたたくと早送り指示とみなすようにしても良い。
【００８２】
なお、通常再生は必ずしも等倍再生である必要は無く、等倍より若干早い再生、又は等倍より若干遅い再生であっても良い。若干早い再生を用いるならば、全体の視聴時間を短縮することができる。また、若干遅い再生を用いるならば、聴覚の異常などにより等倍再生での内容把握が困難なユーザに適した再生となる。早送りに関しても、あまりにもギャップが長い場合には、徐々に加速して最高速に達した後、次のハイライト区間の開始点よりも所定時間だけ手前にまで再生をスキップするような制御も考えられる。
【００８３】
図９は本再生装置のユーザインタフェースによる表示例を示す図である。図９に示す画面は、ユーザがどの番組の録画を再生するかを選択した後の状態を示している。選択した番組についての情報が領域１０００に示され、ハイライト情報が与えられている場合、バー表示１００２〜１００５のようにそれらハイライト再生の選択肢が表示される。バー表示１００１は全体を再生するという選択肢である。それぞれの選択肢の左には、再生に要する時間を表示する。なお、この例は、４つのハイライト情報が与えられている状況を示す。フレーム１００６は選択肢を選ぶフレームであり、ユーザはこれを移動してどの再生を行なうかを指示する。ユーザがフレーム１００６を移動すると、それぞれの区間を代表するサムネイル１００７〜１０１０が表示され、ユーザによる内容確認を助ける。
【００８４】
図１０は図９で選択されているハイライト情報の一例である。図１０を参照して、最初の行はハイライト情報のタイトルである。３行目、４行目は放送局と放送日を指定する。５行目以降はハイライトの区間情報であり、ハイライト区間の再生の順番、ハイライトの内容を示したタイトル、開始点と終了点の組が列挙されている。３行目、４行目の情報と開始点、終了点の情報から、再生すべき録画は一意に決まる。
【００８５】
このハイライト情報に基づいた再生の様子を図１１に示す。再生の様子は図７、図８と基本的には同じとなるが、再生開始直後にハイライト情報タイトルを表示する画面が挿入され、内容の把握がより容易になっている。
【００８６】
これ以外にも次のような表示が考えられる。例えば野球中継など生放送の録画であれば、ハイライトに指定された場面が実際にはいつ起こったかについて時刻を逆算することができる。現時点において既に、野球放送に関し、どの時刻においてどの回、又はどちらの攻撃であったか、さらにはどの打者、又はピッチャーがプレーしていたかといった情報を、逆算した時刻から得ることのできるサービスがインターネット上で提供されている。このような情報をハイライト情報タイトルと組合せて表示することも考えられる。
【００８７】
図１０で示されたハイライト情報は非常に簡単なフォーマットである。これ以外にも、種々のフォーマットが考えられる。例えば、いくつかの視聴時間にあわせたハイライト情報をひとつのファイルとして提供するフォーマットが考えられる。また、図３のＳ１１０で示される、点情報を区間情報に変換する手順を用いることにより、本来ハイライト情報ではない情報、例えば、映画などのＤＶＤパッケージソフトに含まれるチャプタ情報をハイライト情報として流用することもできる。ハイライトシーンを代表するサムネイルの取得方法としては、ハイライト情報として直接的にサムネイル画像を与える方法、特定の時刻を指定してその瞬間の画像をサムネイルとする方法、開始点付近又は終了点付近、開始点と終了点の中間付近の画像をサムネイルとする方法などが考えられる。
【００８８】
なお、図９では、録画された番組情報に対するハイライト情報をすべて表示しているが、ユーザの指示によって、例えば５０分以内に視聴できるハイライト情報だけを選択的に表示するインタフェースも考えられる。また、早送り再生の開始の際の加速を緩やかにする、又は急激にすることによって再生時間の微調整を行なうこともできる。例えば、ユーザの指定した視聴時間が５０分であり、それに対して５２分で視聴できるハイライト情報が用意されている場合、加速を急激にすることで再生時間を５０分に短縮すればユーザの要求に合わせることができる。
【００８９】
同様に、指定の時間までに視聴が完了するハイライトを表示するようなインタフェースも考えられる。例えば、「８：３０まで」という指定、又はあらかじめ時刻が登録された「出勤まで」という指定と現在時刻とから残り時間を算出し、視聴可能なハイライト情報を選択することができる。
【００９０】
これらの選択方法を、二つ以上のハイライト情報の合計から条件に合う再生パターンを選択する、未視聴の番組から優先的に表示するといった様々なバリエーションと組合せれば、より使いやすいインタフェースが実現できる。
【００９１】
図１２は、再生中画面のより詳細な説明のための図である。画面には、全体の再生時間とすでに再生が終わった時間とを示す時刻表示１１００が表示されている。この情報は、全体の再生時間に対する割合や、残り部分の再生に必要な時間であってもよい。さらに画面には、録画全体のどの部分を再生しているかを示すバー１１０２が表示されている。このバー１１０２は、ハイライト区間（斜線部で示す。）とそれ以外の区間とを示す。図１２の例では、バー１１０２は現在ハイライト区間１１０１を再生中であることを示している。再生画面はさらに、次のハイライト区間を代表するサムネイル１１０３を表示している。このサムネイル１１０３を前述のハイライト区間の終了点に近いことを示すインディケータとして利用しても良い。
【００９２】
図１３は、複数の番組にまたがり、かつ、放送時の順序と早見再生におけるハイライト区間の再生の順序とが異なるようなハイライト情報を示す。各行の意味は基本的に図１０と同じである。ただし、図１３に示す例では、複数の番組のハイライト情報が与えられている点で図１０とは異なる。番組ごとのハイライト情報は空行で区切られている。
【００９３】
図１４はこのようなハイライト情報が与えられた場合の再生制御の一例を示す。図１４を参照して、第１の番組のハイライト情報２５０は、ギャップ２６０，２６４，２６８及び２７２と、ハイライト区間２６２，２６６及び２７０とを含む。同様に第２のハイライト情報２５２は、ギャップ２８０、２８４、２８８及び２９２と、ハイライト区間２８２、２８６及び２９０とを含む。
【００９４】
この場合、録画を一点差線で示される各ギャップ２６４、２６８、２８４及び２８８の中心点で分割し、それを矢印で示したように、ハイライト情報で指定された順序で再生することで、矛盾無く複数番組にまたがる早見再生ができる。もちろん、分割点を明示的に指定できるようなハイライト情報のフォーマットを採用しても良い。ここで示したような方法は、複数の録画をひとつの映像に変換してそれに対してハイライト情報を適用しているとみなすことができる。ひとつとみなされる映像に対してであれば、順方向の再生だけではなく、逆方向の巻き戻し再生も矛盾することなく行なえる。
【００９５】
本実施の形態を、２回目、３回目の視聴を効率化する目的に応用することもできる。例えば、一回目の視聴の開始前に全体をハイライト区間とみなしておき、ユーザが一度でも早送り再生を指示した区間を順次ギャップとして認識していく方法が考えられる。一回目の視聴の開始前に全体をハイライト区間とみなしておくのは同様であるが、逆にユーザが一度でも通常再生で視聴した区間を順次ギャップ区間として認識していく方法も考えられる。前者は、最初の視聴で早送りした箇所、例えばＣＭを２回目の視聴時にも早送りする用途に適している。後者は、最初の視聴で内容確認した部分を２回目の視聴では早送りして見飛ばす用途に適している。ハイライト区間とギャップを相互に入れ替え、ハイライト区間に指定されている部分を早送り、ギャップを通常再生するモードを設けても良い。
【００９６】
以上説明したように、本実施の形態に係る映像再生装置１では、ハイライトは通常再生、ハイライト以外は早送り再生とすることにより、短時間の番組視聴を可能にする。さらに、ギャップを単純にスキップするのではなく、早送り再生とすることにより、番組全体の流れを見落とすことも無くなる。なお、デジタルレコーダはその再生を非常に柔軟に制御でき、ここにあげた制御以外にもさまざまなバリエーションをとりうるため、考えうるバリエーションをすべて列挙することは不可能であるが、本実施の形態の本質は、ハイライトシーンは通常再生、ハイライトシーン以外は早送り再生とすることにより、短時間の見落としの無い番組視聴を可能にすることにある。
【００９７】
−映像配信装置−
図１５は、図１に示した映像再生装置１と対になる映像配信装置４の構成を示すブロック図である。図１５を参照して、映像配信装置４は、撮影装置６から入力された映像をアンテナ５から放送電波として配信するとともに、関連する情報をネットワーク経由で配信する機能を備える。撮影装置６の代わりに、撮影した映像を編集する編集装置が接続されていても良い。
【００９８】
映像配信装置４は、入力された映像を蓄積するための映像記録部４１０と、この映像に対してハイライト情報を付加するためのハイライトシーン検出部４０１と、映像に対して付加される番組名などの付加情報を入力するための付加情報入力部４００とを含む。映像配信装置４はさらに、付加されたハイライト情報を蓄積するためのハイライトシーン記録領域４１３、及び付加情報入力部４００により入力された付加情報を蓄積するための付加情報記録領域４１２とを有する記録部４１１と、放送時に、映像記録部４１０から映像を読出し、必要に応じて付加情報又はハイライト情報を付加情報記録領域４１２又はハイライトシーン記録領域４１３から読み出して多重化するための付加情報多重化部４２０と、多重化された映像信号をアンテナ５に与えるための送信部４２３とを含む。
【００９９】
生放送の場合、付加情報又はハイライト情報の生成は映像の放送よりも遅れることになる。この場合でも放送電波に付加情報又はハイライト情報を多重化しても良いが、インターネットなどネットワークを通じて配信しても良い。このために映像配信装置４はさらに、ネットワークに接続され、映像再生装置１からの要求に応じて適切な付加情報又はハイライト情報を記録部４１１から読出し、要求を発信した映像再生装置１に対して返送するためのネットワークインタフェース部４２１を含む。
【０１００】
映像配信装置４でハイライト情報を集中的に生成することで、ハイライト情報を自動生成する場合には、強力な処理装置を利用することができる。またオペレータによりハイライト情報を生成する場合には、熟練したオペレータによるサービスを提供することができる。なお、ハイライトシーン検出部４０１は、図１に示す映像再生装置１のハイライトシーン検出部１０３と同様の機能を持つが、事業としてハイライト情報を提供するならばオペレータが映像を見ながらハイライト情報を作ることも考えられる。
【０１０１】
−映像配信装置４の動作−
映像配信装置４は以下のように動作する。入力された映像は映像記録部４１０に一度蓄積され、この映像に対してハイライトシーン４０１でハイライト情報を付加する。付加されたハイライト情報は、ハイライトシーン記録領域４１３に蓄積される。付加情報は付加情報入力部４００から与えられ、付加情報記録領域４１２に蓄積される。
【０１０２】
放送時には、映像が映像記録部４１０から読み出され、必要に応じて付加情報又はハイライト情報が付加情報多重化部４２０によって多重化され、送信部４２３からアンテナ５に送り出される。生放送の場合、ネットワークインタフェース部４２１は映像再生装置１からの要求に応じて適切な付加情報やハイライト情報を読み出し、返送する。
【０１０３】
なお、ネットワークを有効活用すれば、映像そのものをネットワークで配信すること、ユーザが手動で生成したハイライト情報をネットワーク経由で収集し、適宜処理してハイライト情報として配信することも考えられる。さらに、映像配信装置４で映像自体の配信は行なわず、ハイライト情報のみを提供することも考えられる。例えば、撮影装置６の代わりにチューナを接続して、放送業者が放送した番組の映像に関してのハイライト情報のみを提供する応用が考えられる。この場合には、付加情報多重化部４２０や送信部４２３、アンテナ５は不要である。
【０１０４】
−早送り指示−
点情報を区間情報に変換せず、そのまま利用することも考えられる。図１６はこの場合の再生の様子を示している。ハイライト情報３００が、ハイライト点情報３０２、３０４及び３０６を含むものとする。録画開始点から最初のハイライト点情報３０２までは早送り再生を行ない、ハイライト点情報３０２で指定された時刻以降は通常再生を行なう。通常再生中にユーザが例えば時刻３０８において早送り指示を与えると、徐々に再生速度を加速し、次のハイライト点情報３０４の手前で減速し、通常再生を開始する。以後、時刻３１０、３１２などで早送り指示があった場合も同様である。
【０１０５】
この場合、早送り再生中であっても、ユーザの指示によって即座に通常再生に戻れるようにすることが望ましい。又は、ユーザによる通常再生の指示があった時点での早送り速度を勘案し、早送りで行き過ぎたと推定される時間だけ戻って通常再生を行なうように構成することが望ましい。このように制御することで、ユーザが興味を持てなくなった個所から、次のハイライト点情報までを短縮して視聴することができる。
【０１０６】
一般的な番組録画において、ＣＭが終わり、番組が再開する時刻を点情報として与えれば、ＣＭは早送りで再生し、番組が再開すると通常再生に戻るという効率的な視聴が可能になる。また、早送り中のＣＭの概要を見逃すことなく、興味を引かれるＣＭを見つけた場合はそのＣＭも通常再生で視聴することができる。
【０１０７】
−変形例−
本実施の形態に係る映像再生装置１の構成に関するいくつかの変形例について説明する。
受信装置１００は放送電波の受信装置に限定されず、ケーブルテレビや光ファイバによる放送など様々な放送形態の受信機を用いることができる。映像をユーザの要求に応じてネットワークを通じて供給するＶＯＤ（Ｖｉｄｅｏ  Ｏｎ  Ｄｅｍａｎｄ）の構成をとれば、映像記録領域１１３は不要である。映像の供給元はＶＯＤ事業者のサーバとは限らず、同じ住居内にある別の映像再生装置でもよい。
【０１０８】
映像エンコード部１０２による圧縮エンコード処理には多くの実装例が提案されている。映像データが映像記録領域１１３に記録可能なデータに変換可能であれば、圧縮を伴わない処理も含めてどのような圧縮エンコード処理を採用しても良い。
【０１０９】
付加情報、ハイライト情報、又は映像データは放送電波から取得する必要は無い。ネットワークインタフェース部１３０を介してネットワークからこれらを取得し、記録部１１０に記録するような構成であっても良い。この場合、ユーザが必要なときに各種情報を取得するオンデマンドの形態を取ることもできる。
【０１１０】
さらに、映像記録領域１１３に記録した映像を、ハイライト情報提供事業者又は同じ住居内にある別の映像再生装置に解析させて、その結果得られるハイライトシーン検出の出力を利用することも考えられる。この場合、ハイライトシーン検出部１０３は不要となるが、ハイライトシーン検出の結果を受信する機能が必要となる。
【０１１１】
ハイライトシーン検出部１０３によるハイライトシーン検出技術としては、特許文献１に記載されている方法を用いることもできる。また、これ以外にも多くの提案がある。ユーザがハイライトシーンだと思うシーンを直接指定するユーザインタフェースを使用してハイライト情報を取得しても良い。放送電波に多重化されたハイライト情報、ハイライトシーン検出部１０３によって作られたハイライト情報、及びユーザによって指定されたハイライト情報を任意に組合せて再生制御装置１３４に与えても良い。
【０１１２】
記録装置１１０としては現在ＨＤＤが一般的に使われているが、フラッシュメモリ等の半導体メモリや、それをカートリッジに収めたメモリカードなどを使ってもよい。ネットワークインタフェース部１３０としては、インターネットへの接続インタフェース、又は携帯電話網への接続インタフェースなどが利用できる。ネットワークインタフェース１３０は各種情報の取得とともに情報に対する課金処理を行なっても良い。
【０１１３】
ディスク自身の識別情報又はディスクに記録された作品の識別情報がディスク自体に記録されている場合、それら識別情報を取得して、対応する付加情報又はハイライト情報をネットワークインタフェース部１３０によりネットワーク上の所定のアドレスから自動的に取得するようにしてもよい。付加情報又はハイライト情報をディスクそのものに記録しておき、映像記録ディスク再生部１１４により取得するようにしてもよい。記録媒体に記録されたチャプタ情報など、本来はハイライト情報でない情報をハイライト情報として流用することもできる。もちろん、記録媒体はディスクに限定されず、メモリカードなど他の記録媒体でも良い。
【０１１４】
ハイライトシーンは様々であり、ユーザの嗜好により、スポーツの得点シーン又は好プレイシーン、情報番組の各コーナの導入部分、ＣＭ直後のシーン、ＣＭ自体のシーン、特定の登場人物のシーンをハイライトシーンとみなすこともできる。
【０１１５】
以上の実施の形態では、ひとつのハイライト情報に基づいて、一つ又は複数の映像データを再生することについて述べた。これとは逆に、ひとつの映像データを指定して、その映像データに含まれるハイライトの点情報、又は区間情報を複数のハイライト情報にまたがって検索して再生することも考えられる。さらには、ハイライト情報に含まれる点情報や区間情報を説明に対するキーワード検索などによってフィルタリングしてから利用することも考えられる。このようにすれば、例えば、野球の試合に対する一般的なハイライト情報を使って、見たい選手に関するハイライト映像だけを通常再生するようなことも可能になる。
【０１１６】
機器の構成は図１、図１５のブロック図に限定されず、前述のように、映像配信装置が、映像再生装置の映像記録領域に記録された映像をネットワーク経由で参照してハイライト情報を生成するような構成であっても良い。同様に、映像配信装置の映像配信機能と、ハイライト情報配信機能が独立した装置として実現されても良い。
【０１１７】
ハイライト情報の点情報、区間情報それぞれにレベルが設定されていても良い。例えば、最も重要度の高いハイライトをレベル５として、重要度が下がるとそれに応じてレベルが下がるようにすれば、図９のように複数ハイライト情報を提供するのとほぼ同等の機能が実現できる。さらには、ハイライト情報が区間情報であれば、レベル０はスキップ、レベル１は１００倍までの加速早送り、レベル２は３２倍までの加速早送り、レベル３は４倍速再生、レベル４は１．５倍の音声付再生、レベル５は通常再生といった制御も考えられる。
【０１１８】
レベルをキーワードにしたフィルタリング、又は区間情報又は点情報の説明に含まれる単語からレベルへの変換があっても良い。この場合、レベルが与えられていない区間はレベル０、レベルが指定されていない区間情報又は点情報のレベルはレベル５とみなすといった処理を行なうことが望ましい。ユーザが注目している選手の名前が説明に含まれていれば、無条件にレベル５、他の試合の途中経過の映像であることを示すキーワードが含まれていれば無条件にレベル０とみなすといった操作が可能になる。
【０１１９】
ハイライト情報とは逆に、ハイライトではない部分を指定しても良い。映像再生装置は、映像からハイライトではないと指定された部分を早送り再生し、指定されていない部分については通常再生する。
【０１２０】
以上、説明した第１の実施の形態によれば、映像配信装置から映像再生装置にハイライト情報を与える、又は映像再生装置でハイライト情報を生成することにより、番組内容を見落とすことなく、短時間で視聴することが可能になる。
【０１２１】
−変形例−
以上の説明では、ハイライト情報をあらかじめ用意しておく構成を示したが、本発明で開示される再生装置は、これに限定されるものではない。ハイライト情報の基準をユーザからの指示に頼っても良い。例えば、ユーザがＣＭスキップボタンを押すと、徐々に加速し、ＣＭの区切りである１５秒又は３０秒程度後の地点で通常再生に戻るように制御しても良い。これは、ユーザからの指示により、１５秒又は３０秒後にハイライト点情報を設定すると考えられる。さらには、スキップボタンを連打すると早送り期間が１５秒、３０秒、４５秒と順次長くなるようにしても良い。また、加速時と減速時のパターンが異なってもよく、加速時は短時間で最高速に至り、減速時には早めに減速が始まっても良い。ＣＭスキップのような応用であれば、１５秒周期で加減速を繰返すような早送りパターンも有効である。
【０１２２】
［第２の実施の形態］
−映像再生装置の構成−
第１の実施の形態では、映像再生装置１はハイライト情報を受取ることにより短時間の視聴を可能にした。しかし、再生制御を指示する情報を受取ることによっても同様の効果を得ることができる。
【０１２３】
図１７はこの方法を採用した映像再生装置７のブロック図であり、図１８はこれと組み合わされる映像配信装置８のブロック図である。なお、以下の説明では、再生制御を指示する情報を再生スクリプトと呼ぶ。再生スクリプトは、映像の再生すべき部分と再生速度を指定するための情報、又は説明のための画像を生成するための情報を与える。再生スクリプトは映像を制御する一種のプログラムであり、単純なハイライト情報のみを与える構成に比べて、より多彩な映像表現が可能となる。
【０１２４】
図１７を参照して、映像再生装置７は、放送電波を受信するアンテナ２と、再生した映像を出力する表示装置３とに接続されている。映像再生装置７は、アンテナ２で受信された放送電波を選局するための受信部７００と、受信部７００により選局された放送電波から、映像データと再生スクリプトを分離するための再生スクリプト分離部７０１と、再生スクリプト分離部７０１により分離された映像データを圧縮エンコードするための映像エンコード部７０２と、再生スクリプト分離部７０１により分離された再生スクリプトを記録するための再生スクリプト記録領域７１１及び映像エンコード部７０２によりエンコードされた映像データを記録するための映像記録領域７１２を有する記録部７１０とを含む。
【０１２５】
映像再生装置７はさらに、映像記録領域７１２に記録された映像データをデコードするための映像デコード部７２２と、再生スクリプト記録領域７１１に記録された再生スクリプトに基づき、映像デコード部７２２を用いて映像記録領域７１２に記録された映像データを再生するとともに、再生スクリプト中に埋め込まれた文字情報などを出力するための再生制御部７２１と、再生スクリプト中に埋め込まれた文字情報などを映像デコード部７２２により再生された映像に重ね合わせて出力するための情報重ね合わせ部７２３とを含む。情報重ね合わせ部７２３の出力は映像再生装置７の出力として表示装置３によって表示される。
【０１２６】
簡単のため、図１７にはネットワークインタフェースが示されていない。しかし、図１の映像再生装置１と同様、再生スクリプト又は映像をネットワーク経由で受信することも当然考えられる。例えば、予約録画された番組に対応する再生スクリプトをネットワーク経由で検索してダウンロードした上でユーザに提示し、ユーザの選択した再生スクリプトに基づいて再生を行なうことも考えられる。
【０１２７】
−動作−
アンテナ２で受信された放送電波は受信部７００で選局され、再生スクリプト分離部７０１に入力される。再生スクリプト分離部７０１は、映像データと再生スクリプトとを分離する。分離された再生スクリプトは記録部７１０の再生スクリプト記録領域７１１に記録される。映像データは映像エンコード部７０２によって圧縮エンコードされ記録部７１０の映像記録領域７１２に記録される。
【０１２８】
再生制御部７２１は再生スクリプト記録領域７１１に記録された再生スクリプトに基づき、映像デコード部７２２を用いて映像記録領域７１２に記録された映像データを再生する（すなわち、再生スクリプトを実行する。）とともに、再生スクリプト中に埋め込まれた文字情報などを情報重ね合わせ部７２３によって重ね合わせて出力する。情報重ね合わせ部７２３の出力は映像再生装置７の出力として表示装置３によって表示される。
【０１２９】
−映像配信装置の構成−
次に図１８のブロック図で示される映像配信装置８の構成について説明する。映像配信装置８は、撮影装置６から入力された映像をアンテナ５から放送電波として配信するとともに、再生スクリプトを多重化して配信する機能を備える。撮影装置６の代わりに撮影した映像を編集する編集装置が接続されていても良い。
【０１３０】
映像配信装置８は、入力された映像を蓄積するための映像記録部８１０と、この映像に対してハイライト情報を生成するためのハイライトシーン検出部８０１と、映像に対する説明等の付加情報を入力するための付加情報入力部８００と、付加情報とハイライト情報を組合せて再生スクリプトを生成するための再生スクリプト編集部８０２とを含む。
【０１３１】
映像配信装置８はさらに、再生スクリプト編集部８０２により生成されたスクリプトを記録するための再生スクリプト記録部８１１と、映像記録部８１０に記録された映像が放送電波で配信されるときに、映像記録部８１０から映像を、再生スクリプト記録部８１１から対応の再生スクリプトを、それぞれ読出し、再生スクリプトを映像に多重化するための再生スクリプト多重化部８２０と、再生スクリプト多重化部８２０から出力される、再生スクリプトが多重化された映像をアンテナ５に送るための送信部８２１とを含む。
【０１３２】
なお、前述のように、再生スクリプトがネットワーク経由で配信される場合には、それに対応したネットワークインタフェースが必要となるが、図１８には簡単のため図示していない。
【０１３３】
再生スクリプト８０２で生成される再生スクリプトは、第１の実施の形態の図１に示す再生制御部１３４によって実現される再生制御と同等の指示を与えるものである。その一例を図１９に示す。
【０１３４】
図１９を参照して、スクリプトは空行によってブロックＢ１〜Ｂ１２に分けられている。最初のブロックＢ１は再生スクリプトのタイトルを示しており、二番目以降のブロックＢ２〜Ｂ１２は再生の制御を示している。再生の制御を示す各ブロックＢ２〜Ｂ１２は、再生すべき映像を特定する情報（この例では「放送局」）と、再生範囲（「放送時間」）と、再生速度とを含む。
【０１３５】
ブロックＢ２でオープニング映像を通常再生した後、１．５倍速（ブロックＢ３）、８．０倍速（ブロックＢ４）、１．５倍速（ブロックＢ５）再生と加速・減速し、キックオフのシーン（ブロックＢ６）で通常再生に戻る。
【０１３６】
スクリプト中で１．０倍速再生が指定されている区間（ブロックＢ２，Ｂ６〜Ｂ８及びＢ１２）を第１の実施の形態におけるハイライト区間とみなし、高速再生指示を無視すれば、早送り延期や早送り保留の機能も実現できる。もちろん明示的に通常再生に戻るための指示を与えても良い。また、ブロックＢ８のように別の番組のシーンを一部組合せての再生も考えられる。
【０１３７】
−動作−
入力された映像は映像記録部８１０に一度蓄積され、この映像に対してハイライトシーン８０１でハイライト情報が生成される。映像に対する付加情報が付加情報入力部８００を通じて入力され、再生スクリプト編集部８０２に与えられる。再生スクリプト編集部８０２は付加情報とハイライトシーン検出部８０１が出力したハイライト情報を組合せて再生スクリプトを生成する。生成されたスクリプトは再生スクリプト８１１に記録される。
【０１３８】
映像が放送電波で配信されるとき、又は別の映像を配信するときには、再生スクリプト多重化部８２０が映像記録部８１０から映像を読出し、再生スクリプト記録部８１１から対応の再生スクリプトを読出して映像に多重化する。多重化後、映像は送信部８２１を通じてアンテナ５に送られる。
【０１３９】
再生スクリプト編集部８０２において以上説明したような再生スクリプトを生成すれば、番組内容を見落とすことなく、短時間で番組を視聴することができる。また、配信装置８側で集中的に制御を指定するため、放送時とは順序を入れ替えて再生する、ＣＭ部分では４倍速以下になるよう加速再生を緩める等、配信側の意図をより正確に反映した制御を行なうことができる。図７に示す映像再生装置７との情報交換により、ユーザの嗜好に合わせた再生スクリプトを提供することも考えられる。この場合には、再生スクリプトをあらかじめ記録しておくのではなく、ハイライトシーン情報と付加情報のみをあらかじめ用意しておき、映像再生装置７からユーザの嗜好情報を追加する要求があったときに、再生スクリプト編集部８０２がスクリプトを生成するような構成が適している。
【０１４０】
［第３の実施の形態］
−映像切出し装置の構成−
ハイライト情報を利用することで、番組録画の一部を切出して利用することも考えられる。図２０に示される映像切出し装置９は、このような目的を達成するものである。図２０に示す構成要素のうち、多くの構成要素は図１に示された映像再生装置と同じであるため、重複する構成要素についての説明はここでは繰返さない。
【０１４１】
図２０を参照して、映像切出し装置９は、図１に示される各要素と同様の構成要素１００、１０１、１０２、１０３、１０４、１１０、１１４、１３０、１３１、１３２及び１３３に加えて、映像記録領域１１３に記録された映像データをトランスコーディングするための映像トランスコーディング部９０１と、ハイライトシーン記録領域１１２に記録されたハイライト情報に基づき、映像トランスコーディング部９０１を用いて映像記録領域１１３に記録された映像データのうち、ハイライト情報により定まる所定の区間をトランスコーディングするとともに、再生時に必要となるハイライト区間を出力するための切出し制御部９００と、トランスコーディングされた映像、付加情報記憶領域１１１から取出された付加情報、及び切出し制御部９００が取出したハイライト情報をメモリカード９０３に書込むためのメモリカードインタフェース９０２とを含む。このメモリカード９０３を図示しない再生装置に装着することにより、映像の再生を行なうことができる。
【０１４２】
−動作−
切出し制御部９００はハイライトシーン記録領域１１２に記録されたハイライト情報に基づき、映像トランスコーディング部９０１を用いて映像記録領域１１３に記録された映像データのうちで以下に述べるようにハイライト情報により定まる所定の区間をトランスコーディングするとともに、再生時に必要となるハイライト情報を取出す。映像トランスコーディング部９０１によりトランスコーディングされた映像、スイッチ１３１を介して付加情報記憶領域１１１から読出された付加情報、及び切出し制御部９００によりハイライトシーン記憶領域１１２から取出されたハイライト情報は、メモリカードインタフェース９０２を介してメモリカード９０３に書込まれる。
【０１４３】
図２１は切出し制御部９００による映像情報の切出しを説明するための図である。図２１を参照して、切出し制御部９００は、ハイライト情報を元に、ハイライト区間とその前後の映像を切出して映像トランスコーディング部９０１にトランスコーディングさせ、その出力をメモリカード９０３に記録させる。通常、メモリカード９０３の容量は記録部１１０の容量に比べると小さく、またメモリカード９０３に記録された映像を再生する再生装置のデコード能力も低いことが想定される。そのため、メモリカード９０３に記録する映像は映像トランスコーディング部９０１によって低ビットレートに変換される。メモリカード９０３の容量と映像再生装置のデコード能力が十分であれば、トランスコーディングは不要である。
【０１４４】
ハイライト情報を元に必要な部分だけが切出される。切出された映像情報の容量は小さくなり、トランスコーディングに掛かる時間、又はメモリカード９０３への書込み時間が短縮される。また、本実施の形態では単純にハイライト区間だけを切出すのではなく、ハイライト区間の前後の映像を残す。これにより、ハイライトの続き又はハイライトの前の様子を知りたいというユーザの要求に答えることもできる。このような要求は、例えばスポーツの試合などで多く見られる。前後映像の時間については用途によって異なる。例えば野球の試合などであれば、前の映像については３０秒、後の映像については１分程度が適当である。
【０１４５】
ハイライト情報に切出しのための情報を別途付加することも考えられる。再生装置では、記録された映像をすべてそのまま再生するか、ハイライト情報を解析して図１の再生制御装置１３４と同等の制御を行なうことによって番組録画を短時間で再生することができる。
【０１４６】
メモリカード９０３に映像情報を記録する場合、ひとつの映像としてまとめて記録することもできるし、図２１に示すようにそれぞれの部分ごとに分かれた映像として記録することもできる。ひとつの映像にまとめて記録する方法は、ハイライト情報を使った再生に対応していない再生装置での再生に適している。この場合、ハイライト区間の前後については早送りされた映像にトランスコーディングすることも考えられる。一方、再生装置がハイライト情報を利用できるのであれば、図２１のように分割して記録する、又は一つにまとめたとしても、分割点がもともとの映像情報ではどの時刻に相当するかの情報を残すことによって、図１の再生機と同等のハイライト情報を用いた早見再生ができる。
【０１４７】
なお、メモリカード９０３は取外し可能な記録媒体の一例である。これ以外にも、取外し可能なハードディスク装置又は書込み可能な光学記録媒体を利用することも可能である。メモリカードインタフェース９０２の代わりにネットワークインタフェース１３０を介して再生装置内部に固定された記憶装置に書込みを行なうような構成も考えられる。
【０１４８】
映像記録領域１１３に記録された映像がコピーワンスを指定されている映像であれば、メモリカード９０３への書込み後に映像記録領域１１３の映像情報を消去するか、メモリカード９０３に書込まれた情報を消去するまでアクセス不能になるよう制御する必要がある。メモリカード９０３に書込まれた情報が時限付で無効化できる仕組みが別途用意できるのであれば、一定期間だけ映像記録領域１１３中の映像情報をアクセス不能にすることも考えられる。
【０１４９】
［第４の実施の形態］
−構成−
第１から第３の実施の形態に示した動作を実現するためには、録画とハイライト情報に埋め込まれた時刻情報とが一致していなければならない。例えば、図１の映像再生装置１が番組録画に用いる時計が進んでおり、これに対して正確な時計を元に図１５の映像配信装置４で作成されたハイライト情報を適用すると、本来ハイライトとして表示されるべき映像の開始点よりも早く通常再生が始まり、終了点よりも早く加速再生が始まってしまうことになる。すなわち、開始点前が冗長で、終了点後が不十分な再生となる。映像再生装置１の時計が正確で、映像配信装置４の時計が不正確な状況でも同様である。
【０１５０】
映像の録画された時刻を知るための基準としては、従来のアナログＶＴＲ（Ｖｉｄｅｏ  Ｔａｐｅ  Ｒｅｃｏｒｄｅｒ）で用いられてきた機器内蔵の時計、デジタル放送波に埋め込まれた時刻情報、デジタルビデオ入力など外部映像入力に埋め込まれた時刻情報などが想定される。また、アナログ入力を使って映像をダビングした場合など、もともとの録画時刻がまったく不明な場合もある。ここでは、図２２に示された表のように時刻の正確度を定義する。
【０１５１】
図２３は本発明の第４の実施の形態に係る映像記録装置１０の構成を示すブロック図である。図２３に示す映像記録装置１０は、映像入力を受けて記録媒体に記録する機能を果たすため、図１、図１７、又は図２０に示される映像再生装置１、７又は映像切出し装置９の一部分としてこれらに含まれるのが一般的である。しかしここでは、説明を簡単にするため独立した装置として示している。なお、映像記録部１５１として着脱可能な記録媒体を使えば、図２３に示すとおり、独立した装置としても構成しうる。
【０１５２】
図２３を参照して、映像記録装置１０は、アンテナ２又は入力端子からの映像入力を受け映像記録部１５１に記録するためのものである。映像記録部１５１は、後述する正確度を記録するための正確度記録領域１５２と、時刻情報に基づいて算出される記録開始時刻を記録するための記録開始時刻記録領域１５３と、映像データを記録するための映像データ記録領域１５４とを含む。
【０１５３】
映像記録装置１０は、アンテナ２で受信された放送電波を選局するための受信部１４１と、受信部１４１により選局された放送電波を受け、映像データと時刻情報とを分離するための時刻情報分離部１４２と、外部入力端子から受けた映像信号から映像データと時刻情報とを分離するための時刻情報分離部１４３と、正確度を後述するようにして決定し出力するための正確度決定部１４０とを含む。
【０１５４】
映像記録装置１０はさらに、映像記録装置１０の現在時刻情報を出力するための時計部１４５と、時計部１４５を補正するための時計補正部１４４と、映像の再生時間の計時又は後述するように外部入力とされる装置の再生時間を示す情報（アナログビデオカメラのカウンタなど）の読取を行なうための計時部１４６とを含む。
【０１５５】
映像記録装置１０はさらに、時刻情報分離部１４２からの映像データ及び時刻情報、時刻情報分離部１４３からの映像データ及び時刻情報、時計部１４５からの時刻情報、及び計時部１４６からの計時情報を受け、正確度決定部１４０により決定される正確度に応じて、時刻情報分離部１４２及び時刻情報分離部１４３の出力する映像データのいずれか、及び時刻情報分離部１４２、時刻情報分離部１４３、時計部１４５及び計時部１４６の出力のいずれかを選択してそれぞれ出力するためのスイッチ１４７と、スイッチ１４７の出力する映像データを圧縮エンコードして映像記録部１５１の映像データ記録領域１５４に記録するためのするための映像エンコード部１４８と、時刻情報に対するオフセットを算出し出力するためのオフセット算出部１４９と、スイッチ１４７の出力する時刻情報に対してオフセット算出部１４９の出力するオフセットを加算し、記録開始時刻記録領域１５３に書込むための加算器１５０とを含む。オフセット算出部１４９の動作の詳細については後述する。
【０１５６】
正確度決定部１４０で決定された正確度はスイッチ１４７による映像データ及び時刻情報の選択に使われるとともに正確度記録領域１５２にも記録される。映像記録部１５１には、通常、複数の映像が記録されるが、各々の映像について、正確度、記録開始時刻、映像データの組が記録される。
【０１５７】
放送電波や入力映像から分離された時刻情報のほかに、時計部１４５、計時部１４６からも時刻情報が得られる。時計部１４５はＮＴＰ（Ｎｅｔｗｏｒｋ  Ｔｉｍｅ  Ｐｒｏｔｏｃｏｌ）や放送電波の音声に含まれる時報音、電話のサービスとして提供される時報音によって適宜補正されているとする。この補正は時計補正部１４４によって実現されるが、その仕組みは公知であるため説明を省略する。
【０１５８】
正確度決定部１４０の動作の詳細は図２４の表で示される。デジタル放送受信時など放送電波中に時刻情報が含まれていれば、正確度４の時刻情報として分離された時刻情報を用いる。アナログ放送受信時など放送電波中に時刻情報が含まれていなければ、正確度２の時刻情報として時計部１４５が出力する時刻情報を用いる。デジタルビデオ入力など外部入力端子からの映像入力に時刻情報が含まれていれば、正確度１の時刻情報として分離された時刻情報を用いる。これはデジタルビデオカメラなど、補正手段をもたない自走式の時計による時刻が記録されている場合を仮定している。アナログビデオ入力など外部端子からの映像入力に時刻情報が含まれていなければ、正確度０の時刻情報として計時部１４６が出力する時刻情報を用いる。これはアナログビデオカメラなど、時刻情報がない映像を記録する場合を仮定している。このように、正確度決定部１４０は、映像が蓄積される際の、映像取得の伝送経路という環境に基づいて正確度を決定する。
【０１５９】
図２３に示す計時部１４６は時刻情報として０を出力するだけでも良いが、例えば外部入力端子に接続されたアナログビデオ再生機のテープカウンタが読み込めるのであれば、その値を出力しても良い。外部入力端子にデジタル放送チューナを接続した場合など、あらかじめ正確度が予測できる場合には図２４の表に拠らず他の方法で正確度を決定しても良い。
【０１６０】
図２５は図２３に示すオフセット算出部１４９の動作を示す表である。オフセット算出部１４９は、時刻情報と正確な時刻との補正値を与える働きを持つ。
【０１６１】
正確度０の場合は、オフセットの算出は不能であり、オフセット算出部１４９は０を出力する。
【０１６２】
正確度１の場合は、オフセット算出部１４９は外部入力端子に接続された機器に依存したオフセット値を与える。例えば、デジタルビデオカメラ１が接続されている場合には０を、デジタルビデオカメラ２が接続されている場合には５秒を出力する。このような動作は、ひとつの被写体を複数のデジタルビデオカメラで撮影した場合に、それぞれのデジタルビデオカメラの内蔵時計のオフセットを補正する機能を実現する。前述の例ではデジタルビデオカメラ１の内蔵時計に比べてデジタルビデオカメラ２の内蔵時計が５秒遅れていた状況を補正することになる。それぞれの機器に対応するオフセット値はユーザが指定する。
【０１６３】
正確度が２の場合は、オフセット算出部１４９は受信部１４１が選局しているチャンネルによって決まる値を出力する。この動作は、例えば、アナログ放送やデジタル放送をケーブルテレビのひとつのチャンネルとして伝送する際にその変換に要する時間を補正する、又はデジタル放送波をアナログ放送波に変換して受信する際に変換に要する時間を補正するといった場合に効果がある。変換に要する時間は、チャンネルごとに一定であると考えられるため、チャンネルが決まるとオフセットが一意に算出できる。
【０１６４】
正確度が３の場合は、補正が不要と考えられるためオフセット算出部１４９は０を出力する。なお、予約録画を行なう際の録画開始、録画終了の制御を行なうために、加算装置１５０から出力される時刻情報を使えば、前述のチャンネルによる変換時間の違いに影響を受けにくい映像記録装置１０の予約録画動作が実現できる。
【０１６５】
以上説明した構成により、それぞれの映像データについての記録開始時刻を得ることが可能になる。
【０１６６】
次に、ハイライト情報と映像データとの間の相対的な時刻についての管理の方法を説明する。
【０１６７】
映像データの記録開始時刻と同様に、ハイライト情報についても正確度を定義することができる。ハイライト情報を生成する際に参照した映像データの正確度をハイライト情報の正確度とみなす。例えば、正確度２の映像を参照してハイライト情報を生成した場合、そのハイライト情報に含まれる時刻は、参照された映像と同じく正確度２であると考えられる。そして、ハイライト情報と映像データとの間の相対的な正確度は、ハイライト情報と映像データのそれぞれの正確度の低いほうに一致すると考えられる。なぜなら、例えば、正確度４の映像データと、正確度２のハイライト情報を組合せた場合、相対的な時刻のずれは、正確度２の時刻情報の誤差とほぼ一致すると考えられるからである。ただし、図１のハイライトシーン検出部１０３で生成されたハイライト情報と、映像記録領域１１３に記録された映像データのように、同一装置内で完結している場合については相対的な正確度は４と考えられる。
【０１６８】
このように映像データとハイライト情報との時刻情報の相対的な正確度が定義されると、この正確度を使って適切な時刻情報補正処理を行なうことができるようになる。相対的な正確度が４の場合、誤差はほとんど無いと考えられるため、時刻情報を補正する必要は無い。相対的な正確度が２の場合、基本的には補正する必要は無いが、ユーザに違和感があれば補正を行なう。相対的な正確度が０又は１の場合は、早見再生を開始する前に補正を行なう。
【０１６９】
補正値の管理は図２６に示されるような管理テーブルを用いて行なう。それぞれのハイライト情報は、その正確度と補正値を持っている。同様に、映像データについても正確度と補正値を持っている。図２６に示す例では、ハイライト情報４については、まだ一切の情報が無い状態である。各ハイライト情報の列と各映像データの行との交点の欄には、そのハイライト情報と映像データとの相対的な補正値とその正確度を格納する。これらの欄はさらに、その補正値が実際に測定された値であるか、間接的に算出された値であるかを意味する状態情報をもっている。実際に測定された値であれば状態は確定となり、間接的に算出された値であれば状態は未確定となる。
【０１７０】
なお、以下の説明では、ある欄を「欄ｘ」としたときに、同一の行の映像データを「映像データｘ」、同一の列のハイライト情報を「ハイライト情報ｘ」と表記する。この表は図２７〜図２９に示されるフローチャートに従って更新される。これら手順の詳細については後述することとして、その概略について、図３０に示す例を用いて説明する。
【０１７１】
図３０に示す表は、例えば、映像データ１について、本来、１０：２３：４２でなければならない時刻が時刻０：００：００として記録されていることを示している。同様に、ハイライト情報１において、１０：３０：００と指定されている時刻の映像は、正確には１０：３１：２３（１０：３０：００との差分が＋０：０１：２３）の映像であることを示している。よって、映像データ１とハイライト情報１との相対的な誤差は＋１０：２２：１９であり、ハイライト情報１において、１０：３０：００と指定されている映像データ１の映像を再生するには、１０：３０：００から補正値＋１０：２２：１９を引いた時刻、０：０７：４１を指定して映像データ１を再生しなければならないことになる。実際には図３０の情報を知ることはできないため、与えられた情報を元に、図２６の表を用いて、図３０に示された値にできるだけ近い値を推定する必要がある。その時刻補正処理については後述する。
【０１７２】
図２６は管理テーブルの初期状態であり、それぞれの欄ｘについて、その正確度は映像データｘの正確度とハイライト情報ｘの正確度のうちの高くない方の値、補正値は０：００：００、状態は「未確定」に初期化される。推定のために与えられる情報は、映像データとハイライト情報との相対的な補正値の近似値である。近似値の取得方法は後述する。
【０１７３】
図２７を参照して、時刻補正処理について説明する。図２７のＳ２００は上述した補正値の近似値を取得するステップである。Ｓ２０１において、取得した補正値は映像データ１とハイライト情報２との交点にあたる欄Ａ（図３１中、下線で示す）に補正値として記録される。欄Ａの状態は「確定」となる。
【０１７４】
次に、Ｓ２０２で、映像データＡの正確度がハイライト情報Ａの正確度と不一致か否かを判定する。不一致であればＳ２０３に、それ以外であれば処理を終了する。現在の例では映像データ１の正確度＜ハイライト情報２の正確度であるため、Ｓ２０２の判定結果はＹｅｓとなる。
【０１７５】
Ｓ２０３では映像データＡの正確度がハイライト情報Ａの正確度未満か否かを判定する。判定結果がＹＥＳであればＳ２０４に進み、さもなければＳ２０７に進む。
【０１７６】
Ｓ２０４ではハイライト情報Ａの正確度を欄Ａの正確度の欄に代入する。続くＳ２０５では欄Ａの正確度を映像データＡの正確度に代入し、ハイライト情報Ａの補正値と欄Ａの補正値とを加算した値を映像データＡの補正値に代入する。さらにＳ２０６で行更新処理を実行する。行更新処理の詳細については後述する。ここでは、引数は（欄Ａ、打切りなし）である。第１引数は処理対象の欄を示し、第２引数は後述するようにこの処理の再帰的な起動を打切りなしで行なうか、所定階層で打切るかを指定する引数である。
【０１７７】
一方、Ｓ２０７では映像データＡの正確度の値を欄Ａの正確度に代入する。続くＳ２０８では、欄Ａの正確度の値をハイライト情報Ａの正確度の値に代入し、映像データＡの補正値から欄Ａの補正値を引いたものをハイライト情報Ａの補正値の欄に代入する。さらにＳ２０９で列更新処理を実行する。その詳細については後述する。ここでは、引数は（欄Ａ、打切りなし）である。
【０１７８】
図２８及び図２９をそれぞれ参照して、行更新処理及び列更新処理について説明する。行更新処理と列更新処理は、欄Ａについての情報が得られたことで、推定可能になった欄を更新する処理である。
【０１７９】
図２８を参照して、まずＳ２１０で第１引数を欄Ｂに代入する。すなわち、第１引数で指定された欄の内容を欄Ｂの内容とみなして以下の処理を実行する。なお、代入しようとする欄の正確度が正確度４であるとき、そしてそのときに限り、正確度を３に変換した後に代入する。
【０１８０】
映像データ１のうち、欄Ｂを除いた各欄を対象として、以下に述べるようにＳ２１１ｓとＳ２１１ｅとの間の処理が繰返される。以下の説明では、対象となる欄を欄Ｃとする。
【０１８１】
繰返しのうち、Ｓ２１２では映像データＣの正確度がハイライト情報Ｃの正確度以下か否かを判定する。判定結果がＹＥＳであればＳ２１３に進み、さもなければＳ２１６に進む。
【０１８２】
Ｓ２１３では映像データＣの正確度を欄Ｃの正確度に代入する。Ｓ２１４では欄Ｃの状態が「確定」か否かについて判定する。判定結果がＹＥＳであれば欄Ｃに対する処理を終わる。ＮＯであればＳ２１５で映像データＣの補正値からハイライト情報Ｃの補正値を減算した値を欄Ｃの補正値に設定し、欄Ｃの処理を終了する。
【０１８３】
一方、Ｓ２１２からＳ２１６に進んだ場合、Ｓ２１６では欄Ｃの状態が「確定」か否かについて判定する。判定結果がＹＥＳであればＳ２１７に進み、さもなければＳ２２１に進む。
【０１８４】
Ｓ２１７では、第２引数が「打切りなし」であるか否かについて判定する。判定結果がＹＥＳであればＳ２１８に進み、さもなければ欄Ｃに対する処理を終了する。
【０１８５】
Ｓ２１８では映像データＣの正確度を欄Ｃの正確度に代入する。Ｓ２１９で欄Ｃの正確度をハイライト情報Ｃの正確度に代入し、映像データＣの補正値から欄Ｃの補正値を減算したものをハイライト情報Ｃの補正値に代入する。Ｓ２２０では列更新処理を実行する。引数は（欄Ｃ、打切りあり）である。Ｓ２２０の完了後、欄Ｃに対する処理を終了する。
【０１８６】
Ｓ２１６からＳ２２１に進んだ場合、Ｓ２２１では映像データＣの補正値からハイライト情報Ｃの補正値を減算したものを欄Ｃの補正値に代入する。この後欄Ｃに対する処理を終了する。
【０１８７】
図２７のＳ２０９及び図２８のＳ２２０で実行される列更新処理について図２９を参照して説明する。まずＳ２３０で、第１引数を欄Ｂに代入する。以下、列Ｂの欄Ｂを除いた全ての欄を対象としてＳ２３１ｓ〜Ｓ２３１ｅの処理を繰返し実行する。なお、代入しようとする欄の正確度が４であるとき、そしてそのときに限り、正確度を３に変換して代入する。以下、処理対象の欄を欄Ｃとする。
【０１８８】
Ｓ２３２で、映像データＣの正確度がハイライト情報Ｃの正確度以上か否かについて判定する。判定結果がＹＥＳであればＳ２３３に進み、さもなければＳ２３６に進む。
【０１８９】
Ｓ２３３では、ハイライト情報Ｃの正確度を欄Ｃの正確度に代入する。Ｓ２３４で欄Ｃの正確度が「確定」か否かについて判定する。判定結果がＹＥＳであれば欄Ｃに対する処理を終了する。判定結果がＮＯであればＳ２３５で映像データＣの補正値からハイライト情報Ｃの補正値を減算したものを欄Ｃの補正値に代入し、欄Ｃの処理を終了する。
【０１９０】
一方Ｓ２３２の判定結果がＮＯの場合、Ｓ２３６で欄Ｃの状態が「確定」か否かについて判定する。判定結果がＹＥＳであればＳ２３７に進み、さもなければＳ２４１に進む。
【０１９１】
Ｓ２３７では第２引数が「打切りなし」か否かを判定する。判定結果がＹＥＳであればＳ２３８に進み、さもなければ欄Ｃに対する処理を終了する。
【０１９２】
Ｓ２３８では、ハイライト情報Ｃの正確度を欄Ｃの正確度に代入する。Ｓ２３９では欄Ｃの正確度を映像データＣの正確度に代入し、ハイライト情報Ｃの補正値に欄Ｃの補正値を加算したものを映像データＣの補正値に代入する。さらにＳ２４０で引数＝（欄Ｃ、打切りあり）として行更新処理を実行し、欄Ｃに対する処理を終了する。
【０１９３】
以上、図２７〜図２９を参照して、補正値の更新処理の構成について説明した。
【０１９４】
−動作−
映像記録装置１０は、アンテナ２や入力端子からの映像入力を受け、映像記録部１５１に記録する。アンテナ２で受信された映像を記録する場合、受信された放送電波は受信部１４１で選局され、時刻情報分離部１４２に入力される。時刻情報分離部１４２では、映像データと時刻情報が分離される。分離された映像データはスイッチ１４７をとおり、映像エンコード部１４８によって圧縮エンコードされて映像記録部１５１の映像データ記録領域１５４に記録される。時刻情報分離部１４２により放送電波から分離された時刻情報は、スイッチ１４７をとおり、加算器１５０でオフセット算出部１４９が算出したオフセットと足し合わされて記録開始時刻記録領域１５３に書込まれる。
【０１９５】
同様に、入力端子から入力された映像も時刻情報分離部１４３で映像データと時刻情報に分離され、それぞれがスイッチ１４７の選択の対象となる。放送電波や入力映像から分離された時刻情報のほかに、時計部１４５、計時部１４６からも時刻情報が得られる。
【０１９６】
以下、時刻補正処理の具体例について、映像データ１とハイライト情報２との相対的な補正値の近似値＋１０：２３：４７が与えられたとして説明する。図２７を参照して、映像データ１の正確度＜ハイライト情報２の正確度であるためＳ２０２、Ｓ２０３のいずれにおいても判定結果はＹＥＳとなり、その結果処理はＳ２０４に分岐する。Ｓ２０４において、ハイライト情報２の正確度（正確度２）が欄Ａの正確度に設定される。以上で、欄Ａについての更新は完了である。次にＳ２０５において、欄Ａの正確度（正確度２）が映像データ１の正確度に、映像データ１の補正値が＋１０：２３：４７（＝＋１０：２３：４７＋０：００：００）に、それぞれ設定され、映像データ１についての更新が完了する。さらに、Ｓ２０６において、映像データ１の行の各欄の情報が更新されて一連の更新処理が完了する。
【０１９７】
図２８を参照して、図２７のＳ２０６における行更新処理における動作を説明する。行更新処理の引数として、欄Ａと「打切りなし」とが与えられた状態で処理を開始する。Ｓ２１０にて欄Ａを欄Ｂとみなすことが指示され、映像データ１の行の欄Ａを除いた各欄について、Ｓ２１１ｓとＳ２１１ｅとの間の処理が繰返される。映像データ１とハイライト情報１との交点の欄（以下欄１−１）については、映像データ１正確度＞ハイライト情報１正確度であるため、Ｓ２１２の判定結果はＮＯとなり、Ｓ２１６に分岐する。
【０１９８】
欄１−１の状態は未確定であるからＳ２１６の判定結果はＮＯとなる。その結果Ｓ２２１において欄１−１の補正値が＋１０：２３：４７（＝＋１０：２３：４７−０：００：００）に設定される。
【０１９９】
次に、映像データ１とハイライト情報３との交点の欄（以下欄１−３）については、映像データ１の正確度＜ハイライト情報２の正確度である。そのため、Ｓ２１２の判定結果はＹＥＳとなる。制御はＳ２１３に分岐する。Ｓ２１３において、映像データ１の正確度（正確度２）が欄１−３の正確度に設定される。欄１−３の状態は「未確定」であるから、Ｓ２１４の判定結果はＮＯとなり、Ｓ２１５において欄１−３の補正値が＋１０：２３：４７（＝＋１０：２３：４７−０：００：００）に設定される。以上で、行更新処理は完了する。
【０２００】
列更新処理を含む場合の動作も同様である。ここでは、それらの詳細は説明を簡略にするために省略する。
【０２０１】
図３１は以上の処理が行なわれた後の管理テーブルの状態を示している。斜体で示される部分が図２６に示す状態から更新された項目である。
【０２０２】
同様に映像データ３とハイライト情報１との補正値の近似値が−０：０１：１８と与えられた場合の更新結果を図３２に示す。さらに、映像データ３とハイライト情報３との補正値の近似値が＋０：００：０３と与えられた場合の更新結果を図３３に示す。
【０２０３】
図３３の表への行更新処理の際、映像データ３とハイライト情報１との交点（以下欄３−１）の補正値は確定している。そのため、図２８のＳ２１６の判定結果はＹＥＳとなり、制御はＳ２１７に分岐する。そのときの第２引数は「打切りなし」であるため、Ｓ２１７の判定結果もＹＥＳとなり、Ｓ２１８に分岐することになる。その結果、欄３−１の正確度、ハイライト情報１の正確度、ハイライト情報１の補正値もそれぞれ更新され、さらに再帰的にハイライト情報１の列更新処理も行なわれる。
【０２０４】
行又は列更新処理をどれだけ再帰的に呼び出すかについては特に制約はない。しかし、もともと取得した補正値の近似値が持つ誤差の蓄積による影響を防ぐため、ここでは、２度目の更新処理で再帰呼出しを打切るよう処理している。なお、正確度の値４を代入する際に正確度３に変換する理由は、図２７のＳ２００で補正値を取得する際の誤差により、正確度４に相当するだけの精度が保てないと考えられるためである。
【０２０５】
図３４は、新たに正確度２のハイライト情報４が与えられた後の管理テーブルの状態を示している。それぞれの欄の正確度は映像データの正確度とハイライト情報の正確度の高くない方、補正値は映像データの補正値からハイライト情報の補正値を引いた値に、それぞれ設定される。状態はすべて「未確定」である。
【０２０６】
以上、説明したような処理によって補正値を推定することで、効率よく映像データとハイライト情報との時刻のずれを管理するテーブルを更新することができ、その推定結果は図３０と図３４との比較からもわかるように高精度である。
【０２０７】
この表の利用方法は以下のとおりである。例えば、ハイライト情報１に基づいて映像データ２を早見再生する際、ハイライト情報で与えられた時刻Ｔ１からＴ２のハイライト区間の映像については、映像データ２とハイライト情報１との交点の欄の補正値−０：０１：２１を用いて、映像データ２のＴ１−０：０１：２１からＴ２−０：０１：２１を再生することによって得られる。
【０２０８】
最後に、Ｓ２００における補正値の取得について説明する。補正値の取得のタイミングは再生前と再生中、取得の手段については機械的な手段による取得とユーザによる指定とが考えられる。
【０２０９】
これらのうち、取得のタイミングについて、明らかに誤差が大きいと推定される場合には、補正値取得処理によって視聴を妨げないよう、再生前に補正値を取得することが望ましい。誤差の大きさは補正値管理テーブルの正確度を参照すれば推定できる。正確度０かつ未確定、正確度１かつ未確定の補正値は常に、正確度２かつ未確定の補正値については状況に応じて、再生前に補正値を取得する。正確度２かつ未確定の補正値について補正値を取得するか否かについては、例えばもっとも短いハイライト区間の長さが２０秒以下である、又は映像データの内容（番組情報などから推定可能）がスポーツなど動きの激しいものである、というような情報を加味して判断することが望ましい。
【０２１０】
確定の補正値又は正確度３、正確度４の補正値はその誤差が小さいと推定されるため、再生前の補正値取得は行なわない。通常は再生前の補正値取得で十分と考えられるが、早見再生中、ユーザが誤差ありと感じた場合には、再生を一度中断して補正値の取得を行なうことになる。
【０２１１】
補正値の取得は映像や音声のマッチングによって実現される。
【０２１２】
図３５は補正値取得のための情報の一例である。この情報は、ブロックＢ２１〜Ｂ２３を含み、これらはそれぞれ異なる時刻についての補正値を取得するための情報を与える。これらブロックＢ２１〜Ｂ２３の情報は独立して配布されても良いが、ハイライト情報に埋込んで配布することが望ましい。例えば、図１９の情報の前又は後に図３５の記述を埋込むことが考えられる。
【０２１３】
ブロックＢ２１はユーザにマッチングを依頼する場合の情報の与え方を示している。再生装置は、補正値の取得が必要になると、「説明」で示される内容（「『ブラジルＶＳドイツ』の文字が光った瞬間を指定してください」という文字列）を画面に表示した後、テレビ局「テレビ東阪」が放送した映像の２００３年１１月１１日１３時の少し前から少し後までの範囲を一度又は繰返し再生し、ユーザが説明で指示された瞬間を指定するのを待つ。ユーザの指定が記録装置内で１３：００：１０と認識されている時点を指示したならば、その場合の補正値は＋０：００：１０（＝１３：００：１０−１３：００：００）となる。
【０２１４】
ブロックＢ２２は、機械的にマッチングをとる場合の情報の与え方を示している。再生装置は、補正値の取得が必要になると「画像」で示される静止画を取得し、テレビ局「テレビ東阪」が放送した映像を２００３年１１月１１日１３時の少し前から少し後までの範囲を検索し、映像と取得した静止画とが最もよく一致する瞬間を検出して補正値を得る。画像の一致検出にはさまざまな方法が提案されており、どのような方法を採用してもよい。
【０２１５】
ブロックＢ２３はユーザの指示又は機械的なマッチングのいずれにでも対応できる情報の与え方を示している。なお、マッチングのための再生又は探索範囲は前述の管理テーブルの正確度から決定できる。正確度が０の場合は録画全体を範囲としなければならないが、正確度が１、２、３、４であれば、それぞれ指定時刻の前後１０分、前後１０秒、前後２秒、前後１秒を範囲とすれば十分な結果が得られると予想される。ハイライト情報の作成環境によっては、それぞれの映像データの記録開始点を時刻０：００：００とみなしていると仮定することによって、正確度が０のハイライト情報についても探査範囲を狭めることができる可能性がある。また、マッチングの対象は映像とは限らず、音声であっても良い。なお、ここで説明した補正値の取得方法は、図２３に示すオフセット算出部１４９内に設けられたチャンネルごとのオフセット値の設定にも適応することが出来る。
【０２１６】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味及び範囲内でのすべての変更を含む。
【図面の簡単な説明】
【０２１７】
【図１】本発明の第１の実施の形態における映像再生装置の構成を示すブロック図である。
【図２】本発明の再生動作の概要を示す図である。
【図３】用語を定義するための図である。
【図４】本発明の再生制御部の動作を示すフローチャートである。
【図５】本発明のハイライト情報正規化処理の詳細を示すフローチャートである。
【図６】本発明の早見再生処理の詳細を示すフローチャートである。
【図７】本発明の再生動作の一例を示す図である。
【図８】本発明の別の再生動作の一例を示す図である。
【図９】本発明の再生装置を操作するために表示される画面の一例を示す図である。
【図１０】ハイライト情報の一例を示す図である。
【図１１】本発明の再生動作により表示される画面の一例を示す図である。
【図１２】本発明の再生動作により表示される画面の詳細の一例を示す図である。
【図１３】ハイライト情報の別の一例を示す図である。
【図１４】本発明の複数の映像データにまたがる再生動作の一例を示す図である。
【図１５】本発明の第１の実施の形態における映像配信装置の構成を示すブロック図である。
【図１６】本発明の別の再生動作の一例を示す図である。
【図１７】本発明の第２の実施の形態における映像再生装置の構成を示すブロック図である。
【図１８】本発明の第２の実施の形態における映像配信装置の構成を示すブロック図である。
【図１９】再生スクリプトの一例を示す図である。
【図２０】本発明の第３の実施形態における映像切出し装置の構成を示すブロック図である。
【図２１】本発明の映像切出し動作の一例を示す図である。
【図２２】正確度を定義する情報を表形式で示す図である。
【図２３】本発明の第４の実施の形態における映像記録装置の構成を示すブロック図である。
【図２４】本発明の正確度決定部の動作を表形式で示す図である。
【図２５】本発明のオフセット算出部の動作を表形式で示す図である。
【図２６】本発明の時刻補正テーブルの例を表形式で示すである。
【図２７】本発明の時刻補正処理を示すフローチャートである。
【図２８】行更新処理の詳細を示すフローチャートである。
【図２９】列更新処理の詳細を示すフローチャートである。
【図３０】時刻補正処理の処理の例を表形式で示す図である。
【図３１】時刻補正処理の処理の別の例を表形式で示す図である。
【図３２】時刻補正処理の処理のさらに別の例を表形式で示す図である。
【図３３】時刻補正処理の処理のさらに別の例を表形式で示す図である。
【図３４】時刻補正処理の処理のさらに別の例を表形式で示す図である。
【図３５】時刻補正のために与えられる情報の例を示す図である。
【符号の説明】
【０２１８】
１，７  映像再生装置、２，５  アンテナ、３  表示装置、４，８  映像配信装置、６  撮影装置、９  映像切出し装置、１０  映像記録装置、１００，１４１，７００  受信部、１０１  付加情報分離部、１０２，１４８，７０２  映像エンコード部、１０３，４０１，８０１  ハイライトシーン検出部、１０４，１３１，１３２，１３３，１４７  スイッチ、１１０，４１１，７１０  記録部、１１１，４１２  付加情報記録領域、１１２，４１３  ハイライトシーン記録領域、１１３，７１２  映像記録領域、１１４  映像記録ディクス再生部、１３０，４２１  ネットワークインタフェース部、１３４，７２１  再生制御部、１３５，７２２  映像デコード部、１３６  情報重ね合わせ部、１４０  正確度決定部、１４２  時刻情報分離部、１４３  時刻情報分離部、１４４  時計補正部、１４５  時計部、１４６  計時部、１４９  オフセット算出部、１５０  加算器、１５１，４１０，８１０  映像記録部、１５２  正確度記録領域、１５３  記録開始時刻記録領域、１５４  映像データ記録領域、４００  付加情報入力部、４２０  付加情報多重化部、４２３，８２１  送信部、７０１  再生スクリプト分離部、７１１，８１１  再生スクリプト記録領域、７２３  情報重ね合わせ部、８００  付加情報入力部、８０２  再生スクリプト編集部、８２０  再生スクリプト多重化部、９００  切出し制御装置、９０１  映像トランスコーディング部、９０２  メモリカードインタフェース、９０３  メモリカード
【図１】
2005236527.tif 000003
【図２】
2005236527.tif 000004
【図３】
2005236527.tif 000005
【図４】
2005236527.tif 000006
【図５】
2005236527.tif 000007
【図６】
2005236527.tif 000008
【図７】
2005236527.tif 000009
【図８】
2005236527.tif 000010
【図９】
2005236527.tif 000011
【図１０】
2005236527.tif 000012
【図１１】
2005236527.tif 000013
【図１２】
2005236527.tif 000014
【図１３】
2005236527.tif 000015
【図１４】
2005236527.tif 000016
【図１５】
2005236527.tif 000017
【図１６】
2005236527.tif 000018
【図１７】
2005236527.tif 000019
【図１８】
2005236527.tif 000020
【図１９】
2005236527.tif 000021
【図２０】
2005236527.tif 000022
【図２１】
2005236527.tif 000023
【図２２】
2005236527.tif 000024
【図２３】
2005236527.tif 000025
【図２４】
2005236527.tif 000026
【図２５】
2005236527.tif 000027
【図２６】
2005236527.tif 000028
【図２７】
2005236527.tif 000029
【図２８】
2005236527.tif 000030
【図２９】
2005236527.tif 000031
【図３０】
2005236527.tif 000032
【図３１】
2005236527.tif 000033
【図３２】
2005236527.tif 000034
【図３３】
2005236527.tif 000035
【図３４】
2005236527.tif 000036
【図３５】
2005236527.tif 000037